(57)【要約】  移動局装置が、上りリンク制御情報を送信する際に上りリンクのリソースを効果的に利用した上りリンク制御情報に対する処理を実行する。複数のサブフレームそれぞれにおける複数のセルそれぞれに対するＡＣＫ／ＮＡＣＫをインターリーブして分割することで複数のＡＣＫ／ＮＡＣＫ系列を生成し、前記複数のＡＣＫ／ＮＡＣＫ系列を別々に符号化する。また、複数のＡＣＫ／ＮＡＣＫとスケジューリングリクエストをともにインターリーブする。
2012063754.tif 000002
【特許請求の範囲】
【請求項１】
基地局装置によって設定された複数のセルを用いて前記基地局装置と通信する移動局装置であって、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、
前記複数のＡＣＫ／ＮＡＣＫ系列を別々に符号化する、ことを特徴とする移動局装置。
【請求項２】
前記複数のＡＣＫ／ＮＡＣＫとスケジューリングリクエストをともにインターリーブすることを特徴とする請求項１に記載の移動局装置。
【請求項３】
複数のセルにおいて１つまたは複数のサブフレームで受信したトランスポートブロックのそれぞれに対応したＡＣＫまたはＮＡＣＫを、単一の物理チャネルで基地局装置へ送信する移動局装置において、
前記複数のセルのうちの少なくとも１つのセルに対して、前記基地局装置によって１つのサブフレームで空間多重を用いて２つのトランスポートブロックを送信可能な送信モードが設定され、
前記ＡＣＫまたはＮＡＣＫのビット数に応じて、前記送信モードのセルに対するＡＣＫまたはＮＡＣＫに空間的なバンドリングを実行するかしないかを決定し、
あるサブフレームにおいて前記送信モードのセルで１つのトランスポートブロックを受信した際に、
前記ＡＣＫまたはＮＡＣＫに空間的なバンドリングを実行しないと決定している場合には、前記受信した１つのトランスポートブロックに対応してＡＣＫまたはＮＡＣＫを生成するとともに、受信しなかったトランスポートブロックに対応してＮＡＣＫを生成し、
前記ＡＣＫまたはＮＡＣＫに空間的なバンドリングを実行すると決定している場合には、前記受信した１つのトランスポートブロックに対応してＡＣＫまたはＮＡＣＫを生成するとともに、受信しなかったトランスポートブロックに対応してＮＡＣＫを生成しないことを特徴とする移動局装置。
【請求項４】
移動局装置に設定した複数のセルを用いて前記移動局装置と通信する基地局装置であって、
前記移動局装置が、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、物理上りリンクチャネルで送信された前記符号化した複数のＡＣＫ／ＮＡＣＫ系列から生成した信号を、受信することを特徴とする基地局装置。
【請求項５】
前記複数のＡＣＫ／ＮＡＣＫ系列は、前記複数のＡＣＫ／ＮＡＣＫとスケジューリングリクエストをともにインターリーブして分離することで生成されたものであることを特徴とする請求項４に記載の基地局装置。
【請求項６】
複数のセルにおいて１つまたは複数のサブフレームで送信したトランスポートブロックのそれぞれに対応したＡＣＫまたはＮＡＣＫを、単一の物理チャネルで移動局装置から受信する基地局装置において、
前記複数のセルのうちの少なくとも１つのセルに対して、１つのサブフレームで空間多重を用いて２つのトランスポートブロックを送信可能な送信モードを設定し、
あるサブフレームにおいて前記送信モードのセルで前記移動局装置に１つのトランスポートブロックを送信した際に、
前記ＡＣＫまたはＮＡＣＫのビット数に応じて、前記移動局装置によって前記ＡＣＫまたはＮＡＣＫに空間的なバンドリングを実行しないと決定されていた場合には、前記送信した１つのトランスポートブロックに対応して前記移動局装置によって生成されたＡＣＫまたはＮＡＣＫと、前記移動局装置が受信しなかったトランスポートブロックに対応して移動局装置によって生成されたＮＡＣＫと、から生成した信号を前記移動局装置から受信し、
前記ＡＣＫまたはＮＡＣＫのビット数に応じて、前記移動局装置によって前記ＡＣＫまたはＮＡＣＫに空間的なバンドリングを実行すると決定されていた場合には、前記送信した１つのトランスポートブロックに対応して前記移動局装置によって生成されたＡＣＫ／またはＮＡＣＫと、受信しなかったトランスポートブロックに対応するＮＡＣＫ以外の信号と、にバンドリングを実行した結果から生成した信号を、前記移動局装置から受信することを特徴とする基地局装置。
【請求項７】
基地局装置によって設定された複数のセルを用いて、移動局装置と前記基地局装置とが通信を行う無線通信システムであって、
前記移動局装置は、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、
前記複数のＡＣＫ／ＮＡＣＫ系列を別々に符号化し、
前記基地局装置は、
前記符号化されたＡＣＫ／ＮＡＣＫ系列から生成された信号を、物理上りリンクチャネルを用いて前記移動局装置から受信することを特徴とする無線通信システム。
【請求項８】
前記移動局装置は、前記複数のＡＣＫ／ＮＡＣＫとスケジューリングリクエストをともにインターリーブすることを特徴とする請求項７に記載の無線通信システム。
【請求項９】
複数のセルにおいて１つまたは複数のサブフレームで受信したトランスポートブロックのそれぞれに対応したＡＣＫまたはＮＡＣＫの通信を、単一の物理チャネルを用いて移動局装置と基地局装置の間で行う無線通信システムにおいて、
前記基地局装置は、前記複数のセルのうちの少なくとも１つのセルに対して、１つのサブフレームで空間多重を用いて２つのトランスポートブロックを送信可能な送信モードを設定し、
前記移動局装置は、
前記ＡＣＫまたはＮＡＣＫのビット数に応じて、前記送信モードのセルに対するＡＣＫまたはＮＡＣＫに空間的なバンドリングを実行するかしないかを決定し、
あるサブフレームにおいて前記送信モードのセルで１つのトランスポートブロックを受信した際に、
前記ＡＣＫまたはＮＡＣＫに空間的なバンドリングを実行しないと決定した場合には、前記受信した１つのトランスポートブロックに対応してＡＣＫまたはＮＡＣＫを生成するとともに、受信しなかったトランスポートブロックに対応してＮＡＣＫを生成し、
前記ＡＣＫまたはＮＡＣＫに空間的なバンドリングを実行すると決定した場合には、前記受信した１つのトランスポートブロックに対応してＡＣＫまたはＮＡＣＫを生成するとともに、受信しなかったトランスポートブロックに対応してＮＡＣＫを生成しないこと、を特徴とする無線通信システム。
【請求項１０】
基地局装置によって設定された複数のセルを用いて前記基地局装置と通信する移動局装置に用いられる無線通信方法であって、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、
前記複数のＡＣＫ／ＮＡＣＫ系列を別々に符号化することを特徴とする無線通信方法。
【請求項１１】
前記複数のＡＣＫ／ＮＡＣＫとスケジューリングリクエストをともにインターリーブする処理を実行することを特徴とする請求項１０に記載の無線通信方法。
【請求項１２】
複数のセルにおいて１つまたは複数のサブフレームで受信したトランスポートブロックのそれぞれに対応したＡＣＫまたはＮＡＣＫを、単一の物理チャネルを用いて、基地局装置と通信する移動局装置に用いられる無線通信方法であって、
前記複数のセルのうちの少なくとも１つのセルに対して、前記基地局装置によって１つのサブフレームで空間多重を用いて２つのトランスポートブロックを送信可能な送信モードが設定され、
前記ＡＣＫまたはＮＡＣＫのビット数に応じて、前記送信モードのセルに対するＡＣＫまたはＮＡＣＫに空間的なバンドリングを実行するかしないかを決定し、
あるサブフレームにおいて前記送信モードのセルで１つのトランスポートブロックを受信した際に、
前記ＡＣＫまたはＮＡＣＫに空間的なバンドリングを実行しないと決定した場合には、前記受信した１つのトランスポートブロックに対応してＡＣＫまたはＮＡＣＫを生成するとともに、受信しなかったトランスポートブロックに対応してＮＡＣＫを生成し、
前記ＡＣＫまたはＮＡＣＫに空間的なバンドリングを実行すると決定した場合には、前記受信した１つのトランスポートブロックに対応してＡＣＫまたはＮＡＣＫを生成するとともに、受信しなかったトランスポートブロックに対応してＮＡＣＫを生成しないことを特徴とする無線通信方法。
【請求項１３】
設定した複数のセルを用いて、移動局装置と通信する基地局装置に用いられる無線通信方法であって、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、物理上りリンクチャネルで送信された前記符号化した複数のＡＣＫ／ＮＡＣＫ系列から生成した信号を、受信することを特徴とする無線通信方法。
【請求項１４】
前記複数のＡＣＫ／ＮＡＣＫ系列は、前記複数のＡＣＫ／ＮＡＣＫとスケジューリングリクエストをともにインターリーブして生成されたものであることを特徴とする請求項１３に記載の無線通信方法。
【請求項１５】
複数のセルにおいて１つまたは複数のサブフレームで送信したトランスポートブロックのそれぞれに対応したＡＣＫまたはＮＡＣＫの通信を、単一の物理チャネルを用いて、移動局装置と行う基地局装置に用いられる無線通信方法であって、
前記複数のセルのうちの少なくとも１つのセルに対して、１つのサブフレームで空間多重を用いて２つのトランスポートブロックを送信可能な送信モードを設定し、
あるサブフレームにおいて前記送信モードのセルで前記移動局装置が１つのトランスポートブロックを受信した際に、
前記ＡＣＫまたはＮＡＣＫのビット数に応じて、前記移動局装置によって前記ＡＣＫまたはＮＡＣＫに空間的なバンドリングを実行しないと決定されていた場合には、前記移動局装置が受信した１つのトランスポートブロックに対応して移動局装置によって生成されたＡＣＫまたはＮＡＣＫと、前記移動局装置が受信しなかったトランスポートブロックに対応して移動局装置によって生成されたＮＡＣＫと、から生成した信号を前記移動局装置から受信し、
前記ＡＣＫまたはＮＡＣＫのビット数に応じて、前記移動局装置によって前記ＡＣＫまたはＮＡＣＫに空間的なバンドリングを実行すると決定されていた場合には、前記送信した１つのトランスポートブロックに対応して前記移動局装置によって生成されたＡＣＫ／ＮＡＣＫと、受信しなかったトランスポートブロックに対応するＮＡＣＫ以外の信号と、にバンドリングを実行した結果から生成した信号を、前記移動局装置から受信することを特徴とする無線通信方法。
【請求項１６】
基地局装置によって設定された複数のセルを用いて前記基地局装置と通信する移動局装置に用いられる集積回路であって、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、
前記複数のＡＣＫ／ＮＡＣＫ系列を別々に符号化する機能と、を含むことを特徴とする集積回路。
【請求項１７】
前記複数のＡＣＫ／ＮＡＣＫとスケジューリングリクエストをともにインターリーブして分離する機能、を含むことを特徴とする請求項１６に記載の集積回路。
【請求項１８】
複数のセルにおいて１つまたは複数のサブフレームで受信したトランスポートブロックのそれぞれに対応したＡＣＫまたはＮＡＣＫを、単一の物理チャネルで基地局装置へ送信する移動局装置に用いられる集積回路であって、
前記複数のセルのうちの少なくとも１つのセルに対して、前記基地局装置によって１つのサブフレームで空間多重を用いて２つのトランスポートブロックを送信可能な送信モードが設定され、
前記ＡＣＫまたはＮＡＣＫのビット数に応じて、前記送信モードのセルに対するＡＣＫまたはＮＡＣＫに空間的なバンドリングを実行するかしないかを決定する機能と、
前記ＡＣＫまたはＮＡＣＫに空間的なバンドリングを実行しないと決定した場合には、前記受信した１つのトランスポートブロックに対応してＡＣＫまたはＮＡＣＫを生成するとともに、受信しなかったトランスポートブロックに対応してＮＡＣＫを生成する機能と、
前記ＡＣＫまたはＮＡＣＫに空間的なバンドリングを実行すると決定した場合には、前記受信した１つのトランスポートブロックに対応してＡＣＫまたはＮＡＣＫを生成するとともに、受信しなかったトランスポートブロックに対応してＮＡＣＫ以外を生成する機能と、を含むことを特徴とする集積回路。
【請求項１９】
移動局装置に設定した複数のセルを用いて前記移動局装置と通信する基地局装置に用いられる集積回路であって、
前記移動局装置が、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、物理上りリンクチャネルで送信した前記符号化した複数のＡＣＫ／ＮＡＣＫ系列から生成した信号を、受信する機能、を含むことを特徴とする集積回路。
【請求項２０】
前記複数のＡＣＫ／ＮＡＣＫ系列は、前記複数のＡＣＫ／ＮＡＣＫとスケジューリングリクエストをともにインターリーブして分離することで生成されたものであることを特徴とする請求項１７に記載の集積回路。
【請求項２１】
複数のセルにおいて１つまたは複数のサブフレームで送信したトランスポートブロックのそれぞれに対応したＡＣＫまたはＮＡＣＫを、単一の物理チャネルで移動局装置から受信する基地局装置に用いられる集積回路であって、
前記複数のセルのうちの少なくとも１つのセルに対して、１つのサブフレームで空間多重を用いて２つのトランスポートブロックを送信可能な送信モードを設定する機能と、
あるサブフレームにおいて前記送信モードのセルで前記移動局装置が１つのトランスポートブロックを受信した際に、
前記ＡＣＫまたはＮＡＣＫのビット数に応じて、前記移動局装置によって前記ＡＣＫまたはＮＡＣＫに空間的なバンドリングを実行しないと決定されていた場合には、前記移動局装置が受信した１つのトランスポートブロックに対応して移動局装置によって生成されたＡＣＫまたはＮＡＣＫと、前記移動局装置が受信しなかったトランスポートブロックに対応して移動局装置によって生成されたＮＡＣＫと、から生成した信号を前記移動局装置から受信する機能と、
前記ＡＣＫまたはＮＡＣＫのビット数に応じて、前記移動局装置によって前記ＡＣＫまたはＮＡＣＫに空間的なバンドリングを実行すると決定されていた場合には、前記送信した１つのトランスポートブロックに対応して前記移動局装置によって生成されたＡＣＫ／ＮＡＣＫと、受信しなかったトランスポートブロックに対応するＮＡＣＫ以外の信号と、にバンドリングを実行した結果から生成した信号を、受信する機能を、含むことを特徴とする集積回路。
【発明の詳細な説明】
【技術分野】
【０００１】
本発明は、移動局装置、基地局装置、無線通信システム、無線通信方法および集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する）が、第三世代パートナーシッププロジェクト（3rd Generation Partnership Project:  3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。【０００３】
ＬＴＥでは、移動局装置が物理下りリンク共用チャネル（Physical Downlink Shared Channel:  PDSCH）で受信した下りリンクデータの復号に成功したか否かを示すＡＣＫ（Acknowledgement）／ＮＡＣＫ（Negative Acknowledgement）（HARQ-ACKとも称する）は、物理上りリンク制御チャネル（Physical Uplink Control Channel:  PUCCH）または物理上りリンク共用チャネル（Physical Uplink Shared Channel:  PUSCH）を用いて送信される。移動局装置がＡＣＫ／ＮＡＣＫを送信する時にＰＵＳＣＨの無線リソースを割り当てられていない場合は、ＡＣＫ／ＮＡＣＫはＰＵＣＣＨで送信される。移動局装置がＡＣＫ／ＮＡＣＫを送信する時にＰＵＳＣＨの無線リソースを割り当てられている場合は、ＡＣＫ／ＮＡＣＫはＰＵＳＣＨで送信される。ＬＴＥでは、ＰＵＳＣＨで３ビット以上のＡＣＫ／ＮＡＣＫを送信する場合には、ＡＣＫ／ＮＡＣＫをリードマラー（Reed-Muller）符号化し、３２ビットのＡＣＫ／ＮＡＣＫ符号化ビット系列を生成する。【０００４】
３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する）では、ＬＴＥとの後方互換性(backward compatibility)を持つことが検討されている。つまり、ＬＴＥ−Ａの基地局装置はＬＴＥ−ＡおよびＬＴＥ両方の移動局装置と同時に無線通信を行ない、また、ＬＴＥ−Ａの移動局装置はＬＴＥ−ＡおよびＬＴＥ両方の基地局装置と無線通信を行なうことができ、ＬＴＥ−ＡはＬＴＥと同一のチャネル構造を用いる。【０００５】
ＬＴＥ−Ａでは、ＬＴＥと同一のチャネル構造の周波数帯域（以下、「コンポーネントキャリア（Component Carrier: CC）」と称する）またはセルを複数用いて、１つの周波数帯域（広帯域な周波数帯域）として使用する技術（キャリア集約: carrier aggregation、セル集約: cell aggregation等とも称される）が提案されている。例えば、周波数帯域集約を用いた通信では、基地局装置は１つまたは複数の下りリンクコンポーネントキャリア（Downlink Component Carrier: DL CC）またはセルを用いて、移動局装置に複数の物理下りリンク制御チャネル（Physical Downlink Control Channel: PDCCH）および複数の物理下りリンク共用チャネル（Physical Downlink Shared Channel: PDSCH）を同時に送信することができ、移動局装置は同時に複数のＰＤＣＣＨおよびＰＤＳＣＨを受信することができる。【０００６】
ＬＴＥ−Ａでは物理上りリンク制御チャネル（Physical Uplink Control Channel: PUCCH）で１１ビットより多く２２ビットよりも少ないＡＣＫ／ＮＡＣＫを送信する場合に、ＡＣＫ／ＮＡＣＫを２つのＡＣＫ／ＮＡＣＫセグメントに分割し、２つのＡＣＫ／ＮＡＣＫセグメントを別々にリードマラー符号化することが検討されている（非特許文献1）。【０００７】
非特許文献２では、移動局装置が、基地局装置によって単一のＰＤＳＣＨに空間領域多重（Spatial Domain Multiplexing: SDM）された複数の下りリンクデータそれぞれのＡＣＫ／ＮＡＣＫに対して空間的なバンドリング（Spatial bundling）を実行し、１つのＡＣＫ／ＮＡＣＫを生成することが提案されている。ここで、ＡＣＫ／ＮＡＣＫをバンドルする（ACK/NACKバンドリング）とは、例えば、移動局装置が、（それぞれのPDSCH送信に対する）複数のＡＣＫ／ＮＡＣＫに対して論理ＡＮＤ演算（logical AND operation）を実行することによって、より少ない（例えば、１ビットで表される）ＡＣＫ／ＮＡＣＫを生成することである。【０００８】
例えば、移動局装置は、バンドルされる複数のＡＣＫ／ＮＡＣＫが全てＡＣＫである場合には、バンドルされたＡＣＫ／ＮＡＣＫとして１つのＡＣＫを生成し、基地局装置へ送信する。また、例えば、移動局装置は、バンドルされる複数のＡＣＫ／ＮＡＣＫの中に少なくとも１つのＮＡＣＫが含まれる場合には、バンドルされたＡＣＫ／ＮＡＣＫとして１つのＮＡＣＫを生成し、基地局装置へ送信する。基地局装置は、移動局装置によってバンドルされたＡＣＫを受信した場合には、バンドルされたＡＣＫ／ＮＡＣＫに対応する複数のＡＣＫ／ＮＡＣＫは全てＡＣＫだったとみなす。また、基地局装置は、移動局装置によってバンドルされたＮＡＣＫを受信した場合には、バンドルされたＡＣＫ／ＮＡＣＫに対応する複数のＡＣＫ／ＮＡＣＫの中に少なくとも１つのＮＡＣＫが含まれるとみなす。【０００９】
また、非特許文献３では、移動局装置が、複数の下りリンクデータそれぞれに対するＡＣＫ／ＮＡＣＫに対して空間的なバンドリングを実行し、更に、空間的にバンドリングされたＡＣＫ／ＮＡＣＫに対して時間領域バンドリングおよび／またはコンポーネントキャリア領域バンドリングを実行することが提案されている。ここで、時間領域バンドリングとは、移動局装置が、あるセルにおいて、複数のサブフレームそれぞれで受信したＰＤＳＣＨのＡＣＫ／ＮＡＣＫに対してＡＣＫ／ＮＡＣＫバンドリングを実行することである。また、コンポーネントキャリア領域バンドリングとは、移動局装置が、あるサブフレームにおいて、複数のセル（コンポーネントキャリア）それぞれで受信したＰＤＳＣＨのＡＣＫ／ＮＡＣＫに対してＡＣＫ／ＮＡＣＫバンドリングを実行することである。
【先行技術文献】
【非特許文献】
【００１０】
【非特許文献１】"Way forward on Supporting ACK/NAK Payload Larger than 11 Bits in Rel-10 TDD", 3GPP TSG RAN WG1 Meeting #62bis, R1-105776, October 11-15, 2010.
【非特許文献２】"UL ACK/NAK Transmission for TDD in Rel-10", 3GPP TSG RAN WG 1 Meeting #62bis, R1-105151, October 11-15, 2010.
【非特許文献３】"UL ACK/NAK Bundling Ways in LTE-A TDD", 3GPP TSG RAN WG1 Meeting #62bis, R1-105522, October 11-15, 2010.
【発明の概要】
【発明が解決しようとする課題】
【００１１】
しかしながら、従来の技術では、移動局装置が、複数のサブフレームそれぞれにおける複数のセルそれぞれに対する上りリンク制御情報（ACK/NACK）を送信する際の処理に関する具体的な記載がなかった。例えば、移動局装置が、複数のサブフレームそれぞれにおける複数のセルそれぞれに対する上りリンク制御情報（ACK/NACK）を分割し、分割された上りリンク制御情報（ACK/NACK）それぞれを符号化する際には、分割された上りリック制御情報（ACK/NACK）それぞれの品質を考慮しなければならない。また、例えば、移動局装置が、複数のサブフレームそれぞれにおける複数のセルそれぞれに対する上りリンク制御情報（ACK/NACK）を符号化する際には、上りリンク制御情報（ACK/NACK）を送信するチャネルに対応する適切な情報量を考慮しなければならない。すなわち、従来の技術では、移動局装置は、上りリンクリソースを効果的に利用した上りリンク制御情報に対する処理を実行することができないという問題があった。【００１２】
本発明は上記の点に鑑みてなされたものであり、その目的は、移動局装置が、上りリンク制御情報を送信する際に上りリンクのリソースを効果的に利用した上りリンク制御情報に対する処理を実行することができる移動局装置、基地局装置、無線通信システム、無線通信方法および集積回路を提供することを目的とする。
【課題を解決するための手段】
【００１３】
（１）上記の目的を達成するために、本発明は、以下のような手段を講じた。すなわち、本発明の移動局装置は、基地局装置によって設定された複数のセルを用いて前記基地局装置と通信する移動局装置であって、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化する、ことを特徴とする。【００１４】
（２）また、本発明の移動局装置は、前記複数のＡＣＫ／ＮＡＣＫとスケジューリングリクエストをともにインターリーブすることを特徴とする。【００１５】
（３）また、本発明の移動局装置は、複数のセルにおいて１つまたは複数のサブフレームで受信したトランスポートブロックのそれぞれに対応したＡＣＫまたはＮＡＣＫを、単一の物理チャネルで基地局装置へ送信する移動局装置において、前記複数のセルのうちの少なくとも１つのセルに対して、前記基地局装置によって１つのサブフレームで空間多重を用いて２つのトランスポートブロックを送信可能な送信モードが設定され、前記ＡＣＫまたはＮＡＣＫのビット数に応じて、前記送信モードのセルに対するＡＣＫまたはＮＡＣＫに空間的なバンドリングを実行するかしないかを決定し、あるサブフレームにおいて前記送信モードのセルで１つのトランスポートブロックを受信した際に、前記ＡＣＫまたはＮＡＣＫに空間的なバンドリングを実行しないと決定している場合には、前記受信した１つのトランスポートブロックに対応してＡＣＫまたはＮＡＣＫを生成するとともに、受信しなかったトランスポートブロックに対応してＮＡＣＫを生成し、前記ＡＣＫまたはＮＡＣＫに空間的なバンドリングを実行すると決定している場合には、前記受信した１つのトランスポートブロックに対応してＡＣＫまたはＮＡＣＫを生成するとともに、受信しなかったトランスポートブロックに対応してＮＡＣＫを生成しないことを特徴とする。【００１６】
（４）また、本発明の基地局装置は、移動局装置に設定した複数のセルを用いて前記移動局装置と通信する基地局装置であって、前記移動局装置が、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、物理上りリンクチャネルで送信された前記符号化した複数のＡＣＫ／ＮＡＣＫ系列から生成した信号を、受信することを特徴とする。【００１７】
（５）また、本発明の基地局装置において、前記複数のＡＣＫ／ＮＡＣＫ系列は、前記複数のＡＣＫ／ＮＡＣＫとスケジューリングリクエストをともにインターリーブして分離することで生成されたものであることを特徴とする。【００１８】
（６）また、本発明の基地局装置は、複数のセルにおいて１つまたは複数のサブフレームで送信したトランスポートブロックのそれぞれに対応したＡＣＫまたはＮＡＣＫを、単一の物理チャネルで移動局装置から受信する基地局装置において、前記複数のセルのうちの少なくとも１つのセルに対して、１つのサブフレームで空間多重を用いて２つのトランスポートブロックを送信可能な送信モードを設定し、あるサブフレームにおいて前記送信モードのセルで前記移動局装置に１つのトランスポートブロックを送信した際に、前記ＡＣＫまたはＮＡＣＫのビット数に応じて、前記移動局装置によって前記ＡＣＫまたはＮＡＣＫに空間的なバンドリングを実行しないと決定されていた場合には、前記送信した１つのトランスポートブロックに対応して前記移動局装置によって生成されたＡＣＫまたはＮＡＣＫと、前記移動局装置が受信しなかったトランスポートブロックに対応して移動局装置によって生成されたＮＡＣＫと、から生成した信号を前記移動局装置から受信し、前記ＡＣＫまたはＮＡＣＫのビット数に応じて、前記移動局装置によって前記ＡＣＫまたはＮＡＣＫに空間的なバンドリングを実行すると決定されていた場合には、前記送信した１つのトランスポートブロックに対応して前記移動局装置によって生成されたＡＣＫ／またはＮＡＣＫと、受信しなかったトランスポートブロックに対応するＮＡＣＫ以外の信号と、にバンドリングを実行した結果から生成した信号を、前記移動局装置から受信することを特徴とする。【００１９】
（７）また、本発明の無線通信システムは、基地局装置によって設定された複数のセルを用いて、移動局装置と前記基地局装置とが通信を行う無線通信システムであって、前記移動局装置は、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、前記基地局装置は、前記符号化されたＡＣＫ／ＮＡＣＫ系列から生成された信号を、物理上りリンクチャネルを用いて前記移動局装置から受信することを特徴とする。【００２０】
（８）また、本発明の無線通信システムにおいて、前記移動局装置は、前記複数のＡＣＫ／ＮＡＣＫとスケジューリングリクエストをともにインターリーブすることを特徴とする。【００２１】
（９）また、本発明の無線通信システムは、複数のセルにおいて１つまたは複数のサブフレームで受信したトランスポートブロックのそれぞれに対応したＡＣＫまたはＮＡＣＫの通信を、単一の物理チャネルを用いて移動局装置と基地局装置の間で行う無線通信システムにおいて、前記基地局装置は、前記複数のセルのうちの少なくとも１つのセルに対して、１つのサブフレームで空間多重を用いて２つのトランスポートブロックを送信可能な送信モードを設定し、前記移動局装置は、前記ＡＣＫまたはＮＡＣＫのビット数に応じて、前記送信モードのセルに対するＡＣＫまたはＮＡＣＫに空間的なバンドリングを実行するかしないかを決定し、あるサブフレームにおいて前記送信モードのセルで１つのトランスポートブロックを受信した際に、前記ＡＣＫまたはＮＡＣＫに空間的なバンドリングを実行しないと決定した場合には、前記受信した１つのトランスポートブロックに対応してＡＣＫまたはＮＡＣＫを生成するとともに、受信しなかったトランスポートブロックに対応してＮＡＣＫを生成し、前記ＡＣＫまたはＮＡＣＫに空間的なバンドリングを実行すると決定した場合には、前記受信した１つのトランスポートブロックに対応してＡＣＫまたはＮＡＣＫを生成するとともに、受信しなかったトランスポートブロックに対応してＮＡＣＫを生成しないこと、を特徴とする。【００２２】
（１０）また、本発明の無線通信方法は、基地局装置によって設定された複数のセルを用いて前記基地局装置と通信する移動局装置に用いられる無線通信方法であって、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化することを特徴とする。【００２３】
（１１）また、本発明の無線通信方法は、前記複数のＡＣＫ／ＮＡＣＫとスケジューリングリクエストをともにインターリーブする処理を実行することを特徴とする。【００２４】
（１２）また、本発明の無線通信方法は、複数のセルにおいて１つまたは複数のサブフレームで受信したトランスポートブロックのそれぞれに対応したＡＣＫまたはＮＡＣＫを、単一の物理チャネルを用いて、基地局装置と通信する移動局装置に用いられる無線通信方法であって、前記複数のセルのうちの少なくとも１つのセルに対して、前記基地局装置によって１つのサブフレームで空間多重を用いて２つのトランスポートブロックを送信可能な送信モードが設定され、前記ＡＣＫまたはＮＡＣＫのビット数に応じて、前記送信モードのセルに対するＡＣＫまたはＮＡＣＫに空間的なバンドリングを実行するかしないかを決定し、あるサブフレームにおいて前記送信モードのセルで１つのトランスポートブロックを受信した際に、前記ＡＣＫまたはＮＡＣＫに空間的なバンドリングを実行しないと決定した場合には、前記受信した１つのトランスポートブロックに対応してＡＣＫまたはＮＡＣＫを生成するとともに、受信しなかったトランスポートブロックに対応してＮＡＣＫを生成し、前記ＡＣＫまたはＮＡＣＫに空間的なバンドリングを実行すると決定した場合には、前記受信した１つのトランスポートブロックに対応してＡＣＫまたはＮＡＣＫを生成するとともに、受信しなかったトランスポートブロックに対応してＮＡＣＫを生成しないことを特徴とする。【００２５】
（１３）また、本発明の無線通信方法は、設定した複数のセルを用いて、移動局装置と通信する基地局装置に用いられる無線通信方法であって、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、物理上りリンクチャネルで送信された前記符号化した複数のＡＣＫ／ＮＡＣＫ系列から生成した信号を、受信することを特徴とする。【００２６】
（１４）また、本発明の無線通信方法において、前記複数のＡＣＫ／ＮＡＣＫ系列は、前記複数のＡＣＫ／ＮＡＣＫとスケジューリングリクエストをともにインターリーブして生成されたものであることを特徴とする。【００２７】
（１５）また、本発明の無線通信方法は、複数のセルにおいて１つまたは複数のサブフレームで送信したトランスポートブロックのそれぞれに対応したＡＣＫまたはＮＡＣＫの通信を、単一の物理チャネルを用いて、移動局装置と行う基地局装置に用いられる無線通信方法であって、前記複数のセルのうちの少なくとも１つのセルに対して、１つのサブフレームで空間多重を用いて２つのトランスポートブロックを送信可能な送信モードを設定し、あるサブフレームにおいて前記送信モードのセルで前記移動局装置が１つのトランスポートブロックを受信した際に、前記ＡＣＫまたはＮＡＣＫのビット数に応じて、前記移動局装置によって前記ＡＣＫまたはＮＡＣＫに空間的なバンドリングを実行しないと決定されていた場合には、前記移動局装置が受信した１つのトランスポートブロックに対応して移動局装置によって生成されたＡＣＫまたはＮＡＣＫと、前記移動局装置が受信しなかったトランスポートブロックに対応して移動局装置によって生成されたＮＡＣＫと、から生成した信号を前記移動局装置から受信し、前記ＡＣＫまたはＮＡＣＫのビット数に応じて、前記移動局装置によって前記ＡＣＫまたはＮＡＣＫに空間的なバンドリングを実行すると決定されていた場合には、前記送信した１つのトランスポートブロックに対応して前記移動局装置によって生成されたＡＣＫ／ＮＡＣＫと、受信しなかったトランスポートブロックに対応するＮＡＣＫ以外の信号と、にバンドリングを実行した結果から生成した信号を、前記移動局装置から受信することを特徴とする。【００２８】
（１６）また、本発明の集積回路は、基地局装置によって設定された複数のセルを用いて前記基地局装置と通信する移動局装置に用いられる集積回路であって、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化する機能と、を含むことを特徴とする。【００２９】
（１７）また、本発明の集積回路は、前記複数のＡＣＫ／ＮＡＣＫとスケジューリングリクエストをともにインターリーブして分離する機能、を含むことを特徴とする。【００３０】
（１８）また、本発明の集積回路は、複数のセルにおいて１つまたは複数のサブフレームで受信したトランスポートブロックのそれぞれに対応したＡＣＫまたはＮＡＣＫを、単一の物理チャネルで基地局装置へ送信する移動局装置に用いられる集積回路であって、前記複数のセルのうちの少なくとも１つのセルに対して、前記基地局装置によって１つのサブフレームで空間多重を用いて２つのトランスポートブロックを送信可能な送信モードが設定され、前記ＡＣＫまたはＮＡＣＫのビット数に応じて、前記送信モードのセルに対するＡＣＫまたはＮＡＣＫに空間的なバンドリングを実行するかしないかを決定する機能と、前記ＡＣＫまたはＮＡＣＫに空間的なバンドリングを実行しないと決定した場合には、前記受信した１つのトランスポートブロックに対応してＡＣＫまたはＮＡＣＫを生成するとともに、受信しなかったトランスポートブロックに対応してＮＡＣＫを生成する機能と、前記ＡＣＫまたはＮＡＣＫに空間的なバンドリングを実行すると決定した場合には、前記受信した１つのトランスポートブロックに対応してＡＣＫまたはＮＡＣＫを生成するとともに、受信しなかったトランスポートブロックに対応してＮＡＣＫ以外を生成する機能と、を含むことを特徴とする。【００３１】
（１９）また、本発明の集積回路は、移動局装置に設定した複数のセルを用いて前記移動局装置と通信する基地局装置に用いられる集積回路であって、前記移動局装置が、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、物理上りリンクチャネルで送信した前記符号化した複数のＡＣＫ／ＮＡＣＫ系列から生成した信号を、受信する機能、を含むことを特徴とする。【００３２】
（２０）また、本発明の集積回路は、前記複数のＡＣＫ／ＮＡＣＫ系列は、前記複数のＡＣＫ／ＮＡＣＫとスケジューリングリクエストをともにインターリーブして分離することで生成されたものであることを特徴とする。【００３３】
（２１）また、本発明の集積回路は、複数のセルにおいて１つまたは複数のサブフレームで送信したトランスポートブロックのそれぞれに対応したＡＣＫまたはＮＡＣＫを、単一の物理チャネルで移動局装置から受信する基地局装置に用いられる集積回路であって、前記複数のセルのうちの少なくとも１つのセルに対して、１つのサブフレームで空間多重を用いて２つのトランスポートブロックを送信可能な送信モードを設定する機能と、あるサブフレームにおいて前記送信モードのセルで前記移動局装置が１つのトランスポートブロックを受信した際に、前記ＡＣＫまたはＮＡＣＫのビット数に応じて、前記移動局装置によって前記ＡＣＫまたはＮＡＣＫに空間的なバンドリングを実行しないと決定されていた場合には、前記移動局装置が受信した１つのトランスポートブロックに対応して移動局装置によって生成されたＡＣＫまたはＮＡＣＫと、前記移動局装置が受信しなかったトランスポートブロックに対応して移動局装置によって生成されたＮＡＣＫと、から生成した信号を前記移動局装置から受信する機能と、前記ＡＣＫまたはＮＡＣＫのビット数に応じて、前記移動局装置によって前記ＡＣＫまたはＮＡＣＫに空間的なバンドリングを実行すると決定されていた場合には、前記送信した１つのトランスポートブロックに対応して前記移動局装置によって生成されたＡＣＫ／ＮＡＣＫと、受信しなかったトランスポートブロックに対応するＮＡＣＫ以外の信号と、にバンドリングを実行した結果から生成した信号を、受信する機能を、含むことを特徴とする。
【発明の効果】
【００３４】
この発明によれば、移動局装置が、上りリンク制御情報を送信する際に上りリンクのリソースを効果的に利用した上りリンク制御情報に対する処理を実行することができる。
【図面の簡単な説明】
【００３５】
【図１】本発明の無線通信システムの概念図である。
【図２】本発明のセル集約処理の一例を示す図である。
【図３】本発明のＴＤＤの無線通信システムにおける無線フレームの構成の一例を示す図である。
【図４】本発明のＡＣＫ／ＮＡＣＫを連結する方法について説明する図である。
【図５】本発明の上りリンク制御情報をインターリーブする方法について説明する図である。
【図６】本発明のＡＣＫ／ＮＡＣＫに空間的なバンドリングを実行する一例を示す図である。
【図７】本発明のＡＣＫ／ＮＡＣＫに時間領域バンドリングを実行する一例を示す図である。
【図８】本発明の下りリンクサブフレームの構成の一例を示す概略図である。
【図９】本発明の上りリンクサブフレームの構成の一例を示す概略図である。
【図１０】本発明の移動局装置１の構成を示す概略ブロック図である。
【図１１】本発明の符号化部１０７１の構成を示す概略ブロック図である。
【図１２】本発明のベースシーケンスＭｉ,ｎを示す表である。
【図１３】本発明の符号化シンボルのインターリーブを実行する一例を示す図である。
【図１４】本発明の基地局装置３の構成を示す概略ブロック図である。
【図１５】本発明の移動局装置１の動作の一例を示すフローチャートである。
【発明を実施するための形態】
【００３６】
以下、図面を参照しながら本発明の実施形態について詳しく説明する。まず、本発明の物理チャネルについて説明する。
【００３７】
図１は、本発明の無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical DownlinkShared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が割り当てられることを示す。
【００３８】
図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が割り当てられることを示す。以下、移動局装置１Ａ〜１Ｃを移動局装置１という。
【００３９】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。
【００４０】
ＰＢＣＨは、移動局装置１で共通に用いられる制御パラメータ（システム情報）（Broadcast Channel: BCH）を報知するために用いられる物理チャネルである。ＰＢＣＨは、４０ms間隔で送信される。４０ms間隔のタイミングは、移動局装置１においてブラインド検出（blind detection）される。
【００４１】
ＰＤＣＣＨは、下りリンクアサインメント（downlink assignment、またはdownlink grantとも称する）や上りリンクグラント（uplink grant）などの下りリンク制御情報（Downlink Control Information: DCI）を送信するために用いられる物理チャネルである。下りリンクアサインメントは、ＰＤＳＣＨつまり下りリンクデータに対する変調方式および符号化率に関する情報（Modulation and Coding Scheme: MCS）、無線リソースの割り当てを示す情報などから構成される。上りリンクグラントは、ＰＵＳＣＨつまり上りリンクデータに対する変調方式および符号化率に関する情報、無線リソースの割り当てを示す情報などから構成される。
【００４２】
下りリンク制御情報には複数のフォーマットが用いられる。下りリンク制御情報のフォーマットをＤＣＩフォーマット（DCI format）と呼ぶ。下りリンクアサインメントのＤＣＩフォーマットは、基地局装置３がＰＤＳＣＨで１つの下りリンクデータを１つの送信アンテナポートまたは複数の送信アンテナポートによる送信ダイバーシチを用いて送信する場合に用いられるＤＣＩフォーマット１Ａ、基地局装置３がＭＩＭＯ  ＳＭ（Multiple Input Multiple Output Spatial Multiplexing）を用いて単一のＰＤＳＣＨで１つまたは２つの下りリンクデータ（Downlink Shared Channel: DL-SCH）を送信する場合に用いられるＤＣＩフォーマット２などが用意される。
【００４３】
上りリンクグラントのＤＣＩフォーマットは、移動局装置１がＰＵＳＣＨを１つの送信アンテナポートを用いて送信する場合に用いられるＤＣＩフォーマット０、移動局装置がＭＩＭＯ  ＳＭを用いて単一のＰＵＳＣＨで１つまたは２つの上りリンクデータ（Uplink Shared Channel: UL-SCH）を送信する場合に用いられるＤＣＩフォーマット４などが用意される。
【００４４】
ＭＩＭＯ  ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。
【００４５】
ＭＩＭＯ  ＳＭを用いた送信側では、複数の信号に対して適切な空間チャネルを形成するための処理（プリコーディング（precoding）と称す）が行なわれて、プリコーディングの処理が行なわれた複数の信号を複数の送信アンテナを用いて送信する。ＭＩＭＯ  ＳＭを用いた受信側では、複数の受信アンテナを用いて受信された複数の信号に対して空間次元のチャネルで多重された信号を適切に分離するための処理が行なわれる。ＭＩＭＯ  ＳＭを用いて単一のチャネルに複数のデータを多重することを空間領域多重（Spatial Domain Multiplexing: SDM）と称する。
【００４６】
基地局装置３は、移動局装置１がセルそれぞれに対してモニタするＤＣＩフォーマットの種類を設定する。例えば、基地局装置３は、移動局装置１がセル１に対するＤＣＩフォーマット１ＡおよびＤＣＩフォーマット０と、セル２に対するＤＣＩフォーマット１ＡおよびＤＣＩフォーマット２をモニタするように設定することができる。基地局装置３が、移動局装置１がセルそれぞれに対してモニタするＤＣＩフォーマットの種類を設定することを、送信モードを設定するとも称する。基地局装置３によって、移動局装置１が、セルに対する下りリンクアサインメントとしてＤＣＩフォーマット１Ａをモニタするよう設定されたセルを、ｎｏｎ−ＳＤＭセルと称する。基地局装置３によって、移動局装置１が、セルに対する下りリンクアサインメントとしてＤＣＩフォーマット１ＡとＤＣＩフォーマット２をモニタするよう設定されたセルを、ＳＤＭセルと称する。
【００４７】
基地局装置３は、基地局装置３がスケジューリングしたＰＵＳＣＨで送信される上りリンクデータの数、ＰＵＳＣＨ内に空間多重される領域（以下ではレイヤもしくはLayerと呼称する）の数、上りリンクデータが配置されるレイヤ、移動局装置１が行なうプリコーディングの種類を示す情報をＤＣＩフォーマット４に含めて送信する。移動局装置１は、基地局装置３から受信したＤＣＩフォーマット４に基づいて、ＤＣＩフォーマット４が対応するＰＵＳＣＨで送信する上りリンクデータの数、ＰＵＳＣＨ内に空間多重されるレイヤの数、上りリンクデータが配置されるレイヤ、プリコーディングの種類を決定する。
【００４８】
ＰＤＳＣＨは、ページングチャネル（Paging Channel: PCH）や下りリンクデータ、ＰＢＣＨで報知されない、つまりＢＣＨ以外のシステム情報を送信するために用いられる物理チャネルである。ＰＭＣＨは、ＭＢＭＳ（Multimedia Broadcast and Multicast Service）に関する情報であるマルチキャストチャネル（Multicast Channel: MCH）を送信するために用いられる物理チャネルである。ＰＣＦＩＣＨは、ＰＤＣＣＨが配置される領域を示す情報を送信するために用いられる物理チャネルである。
【００４９】
ＰＨＩＣＨは、基地局装置３が受信した上りリンクデータの復号の成否を示すＨＡＲＱインディケータを送信するために用いられる物理チャネルである。基地局装置３がＰＵＳＣＨに含まれる上りリンクデータの復号に成功した場合は、ＨＡＲＱインディケータはＡＣＫ（ACKnowledgement）を示し、基地局装置３がＰＵＳＣＨに含まれる上りリンクデータの復号に失敗した場合は、ＨＡＲＱインディケータはＮＡＣＫ（Negative ACKnowledgement）を示す。尚、同一のＰＵＳＣＨに含まれる複数の上りリンクデータ毎の復号の成否を示す場合は、複数のＨＡＲＱインディケータが、複数のＰＨＩＣＨで送信される。
【００５０】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号は、ＳＣ−ＦＤＭＡを想定して分割された無線リソースにおいて、ＣＡＺＡＣ（Constant Amplitude and Zero Auto-Correlation）系列を用いた符号拡散が行なわれる。
【００５１】
ＣＡＺＡＣ系列とは、時間領域および周波数領域において一定振幅かつ自己相関特性に優れた系列のことである。時間領域で一定振幅であることからＰＡＰＲ（Peak to Average Power Ratio）を低く抑えることが可能である。ＤＭＲＳには、時間領域において巡回遅延が適用される。この時間領域における巡回遅延のことをサイクリックシフトと称する。尚、サイクリックシフトは周波数領域においてＣＡＺＡＣ系列をサブキャリア単位で位相回転することに相当する。
【００５２】
上りリンク参照信号には、ＰＵＳＣＨまたはＰＵＣＣＨと時間多重されて送信されＰＵＳＣＨとＰＵＣＣＨの伝搬路補償に用いられるＤＭＲＳ（Demodulation Reference Signal）と、ＰＵＳＣＨおよびＰＵＣＣＨとは独立して送信される基地局装置３が上りリンクの伝搬路の状況を推定するのに用いられるＳＲＳ（Sounding Reference Signal）がある。ＤＭＲＳには、サイクリックシフトだけでなく時間領域における拡散符号（Orthogonal Cover Code: OCC）も用いられる。
【００５３】
ＰＵＣＣＨは、下りリンクのチャネル品質を示すチャネル品質情報（Channel Quality Information）、上りリンクの無線リソースの割り当ての要求を示すスケジューリング要求（Scheduling Request: SR）、移動局装置１が受信した下りリンクデータの復号の成否を示すＡＣＫ／ＮＡＣＫ（HARQ-ACKとも称する）など、通信の制御に用いられる情報である上りリンク制御情報（Uplink Control Information: UCI）を送信するために用いられる物理チャネルである。
【００５４】
チャネル品質情報には、チャネル品質指標（Channel Quality Indicator: CQI）、ランク指標（Rank Indicator: RI）およびプレコーディングマトリックス指標（Predocing Matrix Indicator: PMI）がある。ＣＱＩは、下りリンクの物理チャネルの誤り訂正方式、誤り訂正の符号化率、データ変調多値数などの無線伝送パラメータを変更するためのチャネル品質を示す情報である。ＲＩは、下りリンクにおいてＭＩＭＯ  ＳＭ方式にて複数の下りリンクデータを空間多重送信する場合に、移動局装置１が基地局装置３に要求する予め送信信号系列を前処理する信号系列の単位（ストリーム）の数（Rank）を示す情報である。ＰＭＩは、ＭＩＭＯ  ＳＭ方式にて空間多重送信する場合に移動局装置１が基地局装置３に要求する予め送信信号系列を前処理するプレコーディングの情報である。
【００５５】
ＰＵＳＣＨは、上りリンクデータや上りリンク制御情報を送信するために用いられる物理チャネルである。移動局装置が上りリンク制御情報を送信する時にＰＵＳＣＨの無線リソースを割り当てられていない場合は、上りリンク制御情報はＰＵＣＣＨで送信される。移動局装置が上りリンク制御情報を送信する時にＰＵＳＣＨの無線リソースを割り当てられている場合は、上りリンク制御情報はＰＵＳＣＨで送信される。尚、複数のＰＵＳＣＨの無線リソースを割り当てられている場合は、いずれか１つのＰＵＳＣＨで上りリンク制御情報を送信する。
【００５６】
ＰＲＡＣＨは、ランダムアクセスプリアンブルを送信するために使用される物理チャネルである。ＰＲＡＣＨは、移動局装置１が基地局装置３と時間領域の同期をとることを最大の目的とし、その他に、初期アクセス、ハンドオーバ、再接続要求、および上りリンクの無線リソースの割り当ての要求に用いられる。
【００５７】
上りリンクデータ（UL-SCH）、下りリンクデータ（DL-SCH）、マルチキャストチャネル（MCH）、ＰＣＨおよびＢＣＨなどはトランスポートチャネルである。上りリンクデータをＰＵＳＣＨで送信する単位および下りリンクデータをＰＤＳＣＨで送信する単位は、トランスポートブロック（transport block）と呼ばれる。トランスポートブロックは、ＭＡＣ（Media Access Control）層で取り扱われる単位であり、トランスポートブロック毎にＨＡＲＱ（再送信）の制御が行なわれる。
【００５８】
物理層ではトランスポートブロックはコードワード（Cord Word: CW）に対応付けられ、コードワード毎に符号化などの信号処理が行なわれる。トランスポートブロックサイズは、トランスポートブロックのビット数（ペイロードサイズ）である。移動局装置１は上りリンクグラントや下りリンクアサインメントに含まれるＰＵＳＣＨまたはＰＤＳＣＨの無線リソースの割り当てを示す情報によって示される物理リソースブロック（Physical Resource Block: PRB）の数と、ＰＵＳＣＨまたはＰＤＳＣＨの変調方式および符号化率に関する情報（MCSまたはMCS&RV（Redundancy Version））からトランスポートブロックサイズを認識する。
【００５９】
以下、本発明のセル集約（キャリア集約）について説明する。図２は、本発明のセル集約処理の一例を示す図である。図２において、横軸は周波数領域、縦軸は時間領域を示す。図２で示されるセル集約処理では、３つのサービングセル（serving cell）（サービングセル1、サービングセル2、サービングセル3）が集約される。集約される複数のサービングセルのうち１つのサービングセルはプライマリーセル（Primary cell: Pcell）である。プライマリーセルは、ＬＴＥのセルと同等の機能を持つサービングセルである。
【００６０】
プライマリーセルを除いたサービングセルはセカンダリーセル（Secondary cell: Scell）である。セカンダリーセルはプライマリーセルよりも機能が制限されたセルであり、主にＰＤＳＣＨおよび／またはＰＵＳＣＨの送受信のために使用される。例えば、移動局装置１はプライマリーセルのみでランダムアクセスを行なう。また、移動局装置１はセカンダリーセルのＰＢＣＨおよびＰＤＳＣＨで送信されるページングおよびシステム情報を受信しなくてもよい。
【００６１】
下りリンクにおいてサービングセルに対応するキャリアは下りリンクコンポーネントキャリア（Downlink Component Carrier: DL CC）であり、上りリンクにおいてサービングセルに対応するキャリアは上りリンクコンポーネントキャリア（Uplink Component Carrier: UL CC）である。下りリンクにおいてプライマリーセルに対応するキャリアは下りリンクプライマリーコンポーネントキャリア（Downlink Primary Component Carrier: DL PCC）であり、上りリンクにおいてプライマリーセルに対応するキャリアは上りリンクプライマリーコンポーネントキャリア（Uplink Primary Component Carrier: UL PCC）である。下りリンクにおいてセカンダリーセルに対応するキャリアは下りリンクセカンダリーコンポーネントキャリア（Downlink Secondary Component Carrier: DL SCC）であり、上りリンクにおいてセカンダリーセルに対応するキャリアは上りリンクセカンダリーコンポーネントキャリア（Uplink Secondary Component Carrier:  UL SCC）である。
【００６２】
基地局装置３は、プライマリーセルとして必ずＤＬ  ＰＣＣとＵＬ  ＰＣＣの両方を設定する。また、基地局装置３は、セカンダリーセルとしてＤＬ  ＳＣＣのみ、またはＤＬ  ＳＣＣとＵＬ  ＳＣＣの両方を設定することができる。また、サービングセルの周波数またはキャリア周波数はサービング周波数またはサービングキャリア周波数と呼称され、プライマリーセルの周波数またはキャリア周波数はプライマリー周波数またはプライマリーキャリア周波数と呼称され、セカンダリーセルの周波数またはキャリア周波数はセカンダリー周波数またはセカンダリーキャリア周波数と呼称される。
【００６３】
移動局装置１と基地局装置３は、始めに１つのサービングセルを使用して通信を開始し、通信を開始した後に基地局装置３は、ＲＲＣシグナル（Radio Resource Control signal）を使用して１つのプライマリーセルと１つまたは複数のセカンダリーセルのセットを移動局装置１に設定する。基地局装置３は、セカンダリーセルに対してセルインデックスを設定することができる。プライマリーセルのセルインデックスは常に０である。同じセルに対するセルインデックスは移動局装置１毎に異なってもよい。基地局装置３は、移動局装置１にハンドオーバを用いてプライマリーセルを変更するよう指示することができる。
【００６４】
図２において、サービングセル１がプライマリーセルであり、サービングセル２とサービングセル３がセカンダリーセルである。サービングセル１（プライマリーセル）にはＤＬ  ＰＣＣとＵＬ ＰＣＣの両方が設定されており、サービングセル２（セカンダリーセル）にはＤＬ  ＳＣＣ−１とＵＬ  ＳＣＣ−２の両方が設定されており、サービングセル３（セカンダリーセル）にはＤＬ  ＳＣＣ−２のみが設定されている。
【００６５】
ＤＬ  ＣＣおよびＵＬ  ＣＣで使用されるチャネルは、ＬＴＥと同一のチャネル構造を持つ。図２において、ＤＬ  ＣＣ各々には、斜線でハッチングがされた領域が示すＰＨＩＣＨとＰＣＦＩＣＨとＰＤＣＣＨが配置される領域と、ドットでハッチングがされた領域が示すＰＤＳＣＨが配置される領域がある。ＰＨＩＣＨとＰＣＦＩＣＨとＰＤＣＣＨは、周波数多重および／または時間多重される。ＰＨＩＣＨとＰＣＦＩＣＨとＰＤＣＣＨが周波数多重および／または時間多重される領域と、ＰＤＳＣＨが配置される領域は時間多重される。ＵＬ  ＣＣ各々には、灰色の領域が示すＰＵＣＣＨが配置される領域と、横線でハッチングがされた領域が示すＰＵＳＣＨが配置される領域とが周波数多重される。
【００６６】
セル集約では、１つのサービングセル（DL CC）で最大１つのＰＤＳＣＨが送信されることができ、１つのサービングセル（UL CC）で最大１つのＰＵＳＣＨが送信されることができる。図２では、３つのＤＬ  ＣＣを使用して同時に最大３つのＰＤＳＣＨが送信されることができ、２つのＵＬ  ＣＣを使用して同時に最大２つのＰＵＳＣＨが送信されることができる。
【００６７】
また、セル集約では、プライマリーセルのＰＤＳＣＨの無線リソースの割り当てを示す情報を含む下りリンクアサインメントとプライマリーセルのＰＵＳＣＨの無線リソースの割り当てを示す情報を含む上りリンクグラントは、プライマリーセルのＰＤＣＣＨで送信される。セカンダリーセルのＰＤＳＣＨの無線リソースの割り当てを示す情報を含む下りリンクアサインメントとセカンダリーセルのＰＵＳＣＨの無線リソースの割り当てを示す情報を含む上りリンクグラントがＰＤＣＣＨで送信される1つのサービングセルは、基地局装置３によって設定される。この設定は移動局装置１毎に異なってもよい。
【００６８】
移動局装置１は、あるセカンダリーセルのＰＤＳＣＨの無線リソースの割り当てを示す情報を含む下りリンクアサインメントとＰＵＳＣＨの無線リソースの割り当てを示す情報を含む上りリンクグラントが異なるサービングセルで送信されると設定された際には、このセカンダリーセルでＰＤＣＣＨのデコードをしない。例えば、図２においてサービングセル２のＰＤＳＣＨの無線リソースの割り当てを示す情報を含む下りリンクアサインメントとＰＵＳＣＨの無線リソースの割り当てを示す情報を含む上りリンクグラントがサービングセル１で送信され、サービングセル３のＰＤＳＣＨの無線リソースの割り当てを示す情報を含む下りリンクアサインメントとＰＵＳＣＨの無線リソースの割り当てを示す情報を含む上りリンクグラントがサービングセル３で送信されると設定された際は、移動局装置１はサービングセル１とサービングセル３でＰＤＣＣＨをデコードし、サービングセル２でＰＤＣＣＨのデコードをしない。
【００６９】
基地局装置３は、下りリンクアサインメントと上りリンクグラントに下りリンクアサインメントと上りリンクグラントがＰＤＳＣＨまたはＰＵＳＣＨの無線リソースを割り当てるサービングセルを示す情報であるキャリアインディケータ（Carrier Indicator）を含むか否かをサービングセル毎に設定する。ＰＨＩＣＨは、ＰＨＩＣＨがＡＣＫ／ＮＡＣＫを示すＰＵＳＣＨの無線リソースの割り当てを示す情報が含まれる上りリンクグラントが送信されたサービングセルで送信される。
【００７０】
基地局装置３は、ＭＡＣ（Medium Access Control）ＣＥ（Control Element）を用いて移動局装置１に設定したセカンダリーセルをデアクティベート（deactivate）およびアクティベート（activate）できる。移動局装置１は、デアクティベートされたセルにおいて下りリンクの物理チャネルおよび信号を受信せず、上りリンクの物理チャネルおよび信号を送信せず、デアクティベートされたセルに対する下りリンク制御情報のモニタをしない。移動局装置１は、基地局装置３によって新たに追加されたセカンダリーセルはデアクティベートされているとみなす。また、プライマリーセルはデアクティベートされない。
【００７１】
ＦＤＤ（Frequency Division Duplex）の無線通信システムでは、単一のサービングセルに対応するＤＬ  ＣＣとＵＬ  ＣＣは異なる周波数に構成される。ＴＤＤ（Time Division Duplex）の無線通信システムでは、単一のサービングセルに対応するＤＬ  ＣＣとＵＬ  ＣＣは同一の周波数に構成され、サービング周波数において上りリンクサブフレームと下りリンクサブフレームが時間多重される。
【００７２】
図３は、本発明のＴＤＤの無線通信システムにおける無線フレームの構成の一例を示す図である。図３において、横軸は周波数領域、縦軸は時間領域を示す。図３において、白色の四角は下りリンクサブフレームを示し、斜線でハッチングがされた四角は下りリンクサブフレームを示し、ドットでハッチングがされた四角はスペシャルサブフレームを示す。サブフレームに付された番号（#i）は無線フレーム内のサブフレームの番号を示している。
【００７３】
下りリンクサブフレームでは、ＰＤＣＣＨやＰＤＳＣＨなどの下りリンクの物理チャネルおよび信号が送信される。上りリンクサブフレームでは、ＰＵＣＣＨやＰＵＳＣＨなどの上りリンクの物理チャネルおよび信号が送信される。スペシャルサブフレームは、３つの領域ＤｗＰＴＳ（Downlink Pilot Time Slot）およびＧＰ（Guard Period）およびＵｐＰＴＳ（Uplink Pilot Time Slot）を含む。ＤｗＰＴＳとＧＰとＵｐＰＴＳは時間多重される。ＤｗＰＴＳはＰＤＣＣＨやＰＤＳＣＨなどの下りリンクの物理チャネルおよび信号が送信される領域である。ＵｐＰＴＳはＳＲＳおよび／またはＰＲＡＣＨが送信される領域であり、ＵｐＰＴＳではＰＵＣＣＨおよびＰＵＳＣＨは送信されない。ＧＰは移動局装置１および基地局装置３が上りリンクの送受信と下りリンクの送受信をスイッチするための期間である。
【００７４】
セル集約される全てのサービングセルは同一のサブフレームパターンを持つ。つまり、あるタイミングにおいて、移動局装置１と基地局装置３はセル集約される全てのサービングセルで同じ種類のサブフレームを用いた無線通信をする。図３において、移動局装置１がサービングセル１からサービングセル３のサブフレーム＃８とサブフレーム＃９とサブフレーム＃０とサブフレーム＃１（図３の太い点線で囲まれたサブフレーム）のＰＤＳＣＨで受信した下りリンクデータに対する複数のＡＣＫ／ＮＡＣＫはサブフレーム＃１から６つ後のサブフレーム＃７のＰＵＣＣＨまたはＰＵＳＣＨで送信される。また、移動局装置１がサービングセル１からサービングセル３のサブフレーム＃３からサブフレーム＃６（図３の太い実線で囲まれたサブフレーム）のＰＤＳＣＨで受信した下りリンクデータに対する複数のＡＣＫ／ＮＡＣＫはサブフレーム＃６から６つ後のサブフレーム＃２のＰＵＣＣＨまたはＰＵＳＣＨで送信される。
【００７５】
移動局装置１は、あるサブフレームまたはあるサブフレームグループ（図３の太い点線または太い実線で囲まれたサブフレームのグループ）において、１つもＰＤＳＣＨを受信しなかった場合にはＡＣＫ／ＮＡＣＫを生成しない。移動局装置１は、あるセルに対して下りリンクアサインメントとしてＤＣＩフォーマット１Ａをモニタするよう基地局装置３に設定されている場合には、このセルにおいて単一のＰＤＳＣＨで最大１つの下りリンクデータを受信する。
【００７６】
さらに、移動局装置１は、このセルにおいて単一のＰＤＳＣＨで受信した１つの下りリンクデータに対して１つのＡＣＫ／ＮＡＣＫを生成する。このとき、移動局装置１は、あるサブレームまたはあるサブフレームグループにおいて少なくとも１つのＰＤＳＣＨを受信し、あるサブフレームにおいてＤＣＩフォーマット１Ａをモニタするよう基地局装置３に設定されているセルでＰＤＳＣＨを受信しなかった場合には、あるサブフレームにおけるこのセルに対して１つのＮＡＣＫを生成する。
【００７７】
また、移動局装置１は、あるセルに対して下りリンクアサインメントとしてＤＣＩフォーマット１ＡおよびＤＣＩフォーマット２をモニタするよう基地局装置３に設定されている場合には、このセルにおいて単一のＰＤＳＣＨで最大２つの下りリンクデータを受信する。さらに、移動局装置１は、このセルにおいて単一のＰＤＳＣＨで受信した１つまたは２つの下りリンクデータに対して２つのＡＣＫ／ＮＡＣＫを生成する。このとき、移動局装置１は、単一のＰＤＳＣＨで２つの下りリンクデータを受信した場合には、受信した２つの下りリンクデータそれぞれに対する２つのＡＣＫ／ＮＡＣＫを生成する。
【００７８】
また、移動局装置１は、単一のＰＤＳＣＨで１つの下りリンクデータを受信した場合には、受信した１つの下りリンクデータに対する１つのＡＣＫ／ＮＡＣＫと１つのＮＡＣＫを生成する。さらに、移動局装置１は、あるサブレームまたはあるサブフレームグループにおいて少なくとも１つのＰＤＳＣＨを受信し、あるセルにおけるＤＣＩフォーマット１ＡおよびＤＣＩフォーマット２をモニタするよう基地局装置３に設定されているセルでＰＤＳＣＨを受信しなかった場合には、あるサブフレームにおけるこのセルに対して２つのＮＡＣＫを生成する。
【００７９】
すなわち、あるセルに対して下りリンクアサインメントとしてＤＣＩフォーマット１ＡおよびＤＣＩフォーマット２をモニタするよう基地局装置３に設定された移動局装置１が、単一のＰＤＳＣＨで１つの下りリンクデータを受信した場合には、受信した１つの下りリンクデータに対する１つのＡＣＫ／ＮＡＣＫと１つのＮＡＣＫを生成する。しかしながら、この際、移動局装置１が、このＰＤＳＣＨに対するＡＣＫ／ＮＡＣＫに空間的なバンドリングを実行すると常に１つのＮＡＣＫが生成されてしまい、たとえ、移動局装置１が下りリンクデータの受信に成功しても、基地局装置３にＮＡＣＫを送信することになってしまう。すなわち、移動局装置１によって、基地局装置３に正確なＡＣＫ／ＮＡＣＫを送信することができず、結果として、上りリンクのリソースを効果的に使用することができないという問題が生じてしまう。
【００８０】
そこで、あるセルに対して下りリンクアサインメントとしてＤＣＩフォーマット１ＡおよびＤＣＩフォーマット２をモニタするよう基地局装置３に設定され、このセルの単一のＰＤＳＣＨで受信した２つの下りリンクデータに対するＡＣＫ／ＮＡＣＫに空間的なバンドリングを実行する移動局装置１は、単一のＰＤＳＣＨで１つの下りリンクデータを受信した場合には、受信した１つの下りリンクデータに対する１つのＡＣＫ／ＮＡＣＫを生成することができる。
【００８１】
すなわち、あるセルに対して下りリンクアサインメントとしてＤＣＩフォーマット１ＡおよびＤＣＩフォーマット２をモニタするよう基地局装置３に設定された移動局装置１は、このセルに対するＡＣＫ／ＮＡＣＫに空間的なバンドリングを実行する際に、単一のＰＤＳＣＨで２つの下りリンクデータを受信した場合には、受信した下りリンクデータそれぞれに対する２つのＡＣＫ／ＮＡＣＫに空間的なバンドリングを実行することができる。また、あるセルに対して下りリンクアサインメントとしてＤＣＩフォーマット１ＡおよびＤＣＩフォーマット２をモニタするよう基地局装置３に設定された移動局装置１は、このセルの単一のＰＤＳＣＨで１つの下りリンクデータを受信した場合には、受信した１つの下りリンクデータに対してのみ、１つのＡＣＫ／ＮＡＣＫを生成する。
【００８２】
ここで、移動局装置１は、このセルの単一のＰＤＳＣＨで２つの下りリンクデータを受信した場合には、受信した下りリンクデータそれぞれに対する２つのＡＣＫ／ＮＡＣＫに空間的なバンドリングを実行するよう基地局装置３によって設定されている。後述するように、移動局装置１は、ＡＣＫ／ＮＡＣＫのビット数（ペイロードサイズ）に応じて、ＡＣＫ／ＮＡＣＫに対して空間的なバンドリングを実行するかどうかを決定しても良い。すなわち、移動局装置１は、単一のＰＤＳＣＨで受信した２つの下りリンクデータに対するＡＣＫ／ＮＡＣＫを空間的にバンドリングする。
【００８３】
さらに、あるセルに対して下りリンクアサインメントとしてＤＣＩフォーマット１ＡおよびＤＣＩフォーマット２をモニタするよう基地局装置３に設定された移動局装置１は、このセルの単一のＰＤＳＣＨで１つの下りリンクデータを受信した場合には、受信した１つの下りリンクデータに対する１つのＡＣＫ／ＮＡＣＫと受信しなかった下りリンクデータに対する１つのＮＡＣＫを生成する。ここで、移動局装置１は、このセルの単一のＰＤＳＣＨで２つの下りリンクデータを受信した場合には、受信した下りリンクデータそれぞれに対する２つのＡＣＫ／ＮＡＣＫを空間的にバンドリングしないように基地局装置３によって設定されている。後述するように、移動局装置１は、ＡＣＫ／ＮＡＣＫのビット数（ペイロードサイズ）に応じて、ＡＣＫ／ＮＡＣＫに対して空間的なバンドリングを実行するかどうかを決定しても良い。すなわち、移動局装置１は、単一のＰＤＳＣＨで受信した１つまたは２つの下りリンクデータに対するＡＣＫ／ＮＡＣＫを空間的にバンドリングしない。
【００８４】
これにより、あるセルに対して下りリンクアサインメントとしてＤＣＩフォーマット１ＡおよびＤＣＩフォーマット２をモニタするよう基地局装置３に設定された移動局装置１が、単一のＰＤＳＣＨで１つの下りリンクデータを受信した場合には、受信した１つの下りリンクデータに対する１つのＡＣＫ／ＮＡＣＫと１つのＮＡＣＫを生成し、さらに、このＰＤＳＣＨに対するＡＣＫ／ＮＡＣＫに空間的なバンドリングを実行することによって、常に１つのＮＡＣＫが生成されてしまうという問題を回避することができ、結果として、上りリンクのリソースを効果的に使用することができる。
【００８５】
移動局装置１は、セカンダリーセルがデアクティベートされている場合には、デアクティベートされたセカンダリーセルに対するＡＣＫ／ＮＡＣＫは全てＮＡＣＫとする。
【００８６】
以下、本発明のＡＣＫ／ＮＡＣＫを符号化方法について説明する。移動局装置１は、同一のＰＵＣＣＨまたは同一のＰＵＳＣＨで送信されるＡＣＫ／ＮＡＣＫを第１のＡＣＫ／ＮＡＣＫセグメント（ACK/NACKの上位ビット）と第２のＡＣＫ／ＮＡＣＫセグメント（ACK/NACKの下位ビット）に分割し、分割された第１のＡＣＫ／ＮＡＣＫセグメントと第２のＡＣＫ／ＮＡＣＫセグメントを別々にリードマラー符号化する。移動局装置１は、第１のＡＣＫ／ＮＡＣＫセグメントの符号化ビットと第２のＡＣＫ／ＮＡＣＫセグメントの符号化ビットそれぞれを変調し、異なる上りリンクの無線リソースで送信する。
【００８７】
基地局装置３は、第１のＡＣＫ／ＮＡＣＫセグメントの信号と第２のＡＣＫ／ＮＡＣＫセグメントの信号を受信し、第１のＡＣＫ／ＮＡＣＫセグメントと第２のＡＣＫ／ＮＡＣＫセグメントを別々に復号する。基地局装置３は、デアクティベートされたセルに対するＡＣＫ／ＮＡＣＫや、基地局装置３が移動局装置１へＰＤＳＣＨを送信しなかったサブフレームのセルに対するＡＣＫ／ＮＡＣＫは、移動局装置１によってＮＡＣＫが生成されていることを知っているため、ＡＣＫ／ＮＡＣＫの検出をしなくてもよい。
【００８８】
以下、本発明のＡＣＫ／ＮＡＣＫを連結（concatenate）する方法について説明する。例えば、図３において、サービングセル１とサービングセル２に対してＤＣＩフォーマット１Ａのみをモニタするよう設定され、サービングセル３に対してＤＣＩフォーマット１ＡとＤＣＩフォーマット２をモニタするよう設定され、サービングセル３がデアクティベートされている移動局装置１は、サブフレームグループに対するＡＣＫ／ＮＡＣＫとして、サービングセル１に対する４つのＡＣＫ／ＮＡＣＫと、サービングセル２に対する４つのＡＣＫ／ＮＡＣＫとサービングセル１に対する８つのＮＡＣＫを生成する。
【００８９】
このときに、移動局装置１が、サービングセル１に対する４つのＡＣＫ／ＮＡＣＫとサービングセル２に対する４つのＡＣＫ／ＮＡＣＫとサービングセル３に対する８つのＮＡＣＫを順番に連結すると、第１のＡＣＫ／ＮＡＣＫセグメントはサービングセル１に対する４つのＡＣＫ／ＮＡＣＫとサービングセル２に対する４つのＡＣＫ／ＮＡＣＫから構成され、第２のＡＣＫ／ＮＡＣＫセグメントはサービングセル３に対する８つのＮＡＣＫから構成される。
【００９０】
しかしながら、基地局装置３は、デアクティベートされているサービングセル３に対するＡＣＫ／ＮＡＣＫは全てＮＡＣＫであることを知っているため、第２のＡＣＫ／ＮＡＣＫセグメントを受信する必要がないので、移動局装置１は必要のない信号を送信することになり、結果として、上りリンクのリソースを効果的に使用することができないという問題が生じてしまう。また、デアクティベートされているサービングセルに対するＮＡＣＫが片方のＡＣＫ／ＮＡＣＫセグメントに偏ってしまうと、基地局装置３が検出するＡＣＫ／ＮＡＣＫの数が不均一になり、ＡＣＫ／ＮＡＣＫセグメントの特性が不均一になり、結果として、上りリンクのリソースを効果的に使用することができないという問題が生じてしまう。
【００９１】
そこで、移動局装置１は、サブフレームグループ内の複数のサブフレームそれぞれにおける複数のサービングセルそれぞれに対するＡＣＫ／ＮＡＣＫを、サブフレームグループ内の最初のサブフレームにおける複数のサービングセルそれぞれに対するＡＣＫ／ＮＡＣＫから順番に連結し、あるサブフレームにおける複数のサービングセルそれぞれに対するＡＣＫ／ＮＡＣＫを全て連結した後に、次のサブフレームにおける複数のサービングセルそれぞれに対するＡＣＫ／ＮＡＣＫを連結していく。同一のサブフレームにおける複数のサービングセルそれぞれに対するＡＣＫ／ＮＡＣＫは、ＡＣＫ／ＮＡＣＫが対応するサービングセルのセルインデックスの順番に従って連結する。
【００９２】
図４は、本発明のＡＣＫ／ＮＡＣＫを連結する方法について説明する図である。図４において、横軸は周波数領域、縦軸は時間領域を示す。図４では、移動局装置１は、サブフレームグループ内の最初のサブフレームにおけるサービングセル１からサービングセル３に対応するＡＣＫ／ＮＡＣＫを順番に連結し、最初のサブフレームにおけるサービングセル１からサービングセル３に対するＡＣＫ／ＮＡＣＫを全て連結した後に、２番目のサブフレームにおけるサービングセル１からサービングセル３に対するＡＣＫ／ＮＡＣＫを全て連結することを繰り返す。
【００９３】
これにより、デアクティベートされているサービングセルに対するＡＣＫ／ＮＡＣＫが片方のＡＣＫ／ＮＡＣＫセグメントに偏ってしまい、ＡＣＫ／ＮＡＣＫセグメントの特性が不均一になるという問題、および移動局装置１が必要のない信号を送信してしまうという問題を回避することができ、結果として、上りリンクのリソースを効果的に使用することができる。
【００９４】
また、基地局装置３が隣接セル（他の基地局装置3によって管理されているセル）と、自装置のセルとの信号の干渉を防ぐために、サブフレーム単位で下りリンクのデータの通信を止める可能性がある。このような場合には、同一のサブフレームにおける複数のサービングセルに対するＡＣＫ／ＮＡＣＫが片方のＡＣＫ／ＮＡＣＫセグメントに偏ることで、同様にＡＣＫ／ＮＡＣＫセグメントの特性が不均一になるという問題が生じる。そこで、移動局装置１は、図４のようにＡＣＫ／ＮＡＣＫを連結した後に、さらに、連結されたＡＣＫ／ＮＡＣＫをインターリーブしてもよい。
【００９５】
移動局装置１は、ＰＵＳＣＨでＡＣＫ／ＮＡＣＫとチャネル品質情報を送信する際には、ＡＣＫ／ＮＡＣＫとチャネル品質情報を別々に符号化する。移動局装置１は、ＰＵＳＣＨでＡＣＫ／ＮＡＣＫとチャネル品質情報とＳＲを送信する際には、ＡＣＫ／ＮＡＣＫとチャネル品質情報とＳＲをともに符号化する。尚、ＡＣＫ／ＮＡＣＫおよびチャネル品質情報およびＳＲを同一のＰＵＣＣＨで送信する場合には、ＡＣＫ／ＮＡＣＫおよびチャネル品質情報およびＳＲを連結した後に、ＡＣＫ／ＮＡＣＫおよびチャネル品質情報およびＳＲをともにインターリーブしてもよい。
【００９６】
図５は、本発明の上りリンク制御情報をインターリーブする方法について説明する図である。図５において、移動局装置１は、サービングセル１とサービングセル２の２つのサービングセルが設定されており、サービングセル１に対してＤＣＩフォーマット１ＡとＤＣＩフォーマット２をモニタするよう設定されており、サービングセル２に対してＤＣＩフォーマット１Ａをモニタするよう設定されている。また、移動局装置１は、同一のＰＵＣＣＨでＡＣＫ／ＮＡＣＫとチャネル品質情報とＳＲを送信する。
【００９７】
図５において、Ａ／Ｎ（i,j）はｉ番目のサブフレームにおけるサービングセル１とサービングセル２に対するＡＣＫ／ＮＡＣＫを示す。ｊは、サービングセル１の１番目の下りリンクデータのＡＣＫ／ＮＡＣＫに対しては１であり、サービングセル１の２番目の下りリンクデータのＡＣＫ／ＮＡＣＫに対しては２であり、サービングセル２の１番目の下りリンクデータのＡＣＫ／ＮＡＣＫに対しては３である。図５において、ＣＱＩ（k）はチャネル品質情報のｋ番目の情報ビットであり、ＳＲはスケジューリング要求を示すビットである。
【００９８】
移動局装置１は、図５（ａ）のようにＡＣＫ／ＮＡＣＫとチャネル品質情報とＳＲを並べた後に、図５（ｂ）のように２列目のＡＣＫ／ＮＡＣＫを巡回的に１つ上にシフトし、３列目のＡＣＫ／ＮＡＣＫを巡回的に２つ上にシフトする。移動局装置１は、図５（ｂ）の一番上の行の右側から１行ずつ情報ビットを読み出していことで、異なる種類の上りリンク制御情報が、異なるＡＣＫ／ＮＡＣＫセグメントに分散される。また、同一のサブフレームにおける複数のサービングセルに対するＡＣＫ／ＮＡＣＫが、異なるＡＣＫ／ＮＡＣＫセグメントに分散される。また、同一のサービングセルに対するＡＣＫ／ＮＡＣＫが、異なるＡＣＫ／ＮＡＣＫセグメントに分散される。これにより、ＡＣＫ／ＮＡＣＫセグメントの特性が不均一になるという問題、および移動局装置１が必要のない信号を送信してしまうという問題を回避することができ、結果として、上りリンクのリソースを効果的に使用することができる。
【００９９】
以下、本発明のＡＣＫ／ＮＡＣＫに空間的なバンドリングを実行するかを判定する方法について説明する。
【０１００】
本発明の、ＡＣＫ／ＮＡＣＫセグメントの符号化に用いられるリードマラー符合のベースシーケンスＭｉ,ｎは１１ビットまでに対応しているので、２つのＡＣＫ／ＮＡＣＫセグメントを用いることで２２ビットの上りリンク制御情報を符号化することができる。ＡＣＫ／ＮＡＣＫとＳＲを同時に送信するために、ＡＣＫ／ＮＡＣＫの最大のペイロードサイズは２１ビットとする。ＡＣＫ／ＮＡＣＫのペイロードサイズ（ビット数）が１１ビットより大きく（多く）２２ビットよりも小さい（少ない）際には、ＡＣＫ／ＮＡＣＫにバンドリングを実行しない。ＡＣＫ／ＮＡＣＫのペイロードサイズが２２ビットと等しい、または２２ビットよりも大きい際には、ＡＣＫ／ＮＡＣＫにバンドリングを実行する。
【０１０１】
例えば、全てのサービングセルがＳＤＭセルであり、ＡＣＫ／ＮＡＣＫのペイロードサイズが２４ビットである時に、移動局装置１が全てのＡＣＫ／ＮＡＣＫに対して空間的なバンドリングを実行すると、ＡＣＫ／ＮＡＣＫのペイロードサイズは１２ビットになる。これにより、移動局装置１は同時に２１ビットのＡＣＫ／ＮＡＣＫを上りリンクのリソースで送信できるにも係らず、１２ビットのバンドリングされたＡＣＫ／ＮＡＣＫしか送信できないため、上りリンクのリソースを効果的に使用することができない。また、ＡＣＫがバンドリングされた結果としてＮＡＣＫとなり、移動局装置１が下りリンクデータの復号に成功しているにもかかわらず、基地局装置３が下りリンクデータの再送信をしてしまうことが頻繁に生じるようになるという問題が生じてしまう。
【０１０２】
そこで、移動局装置１は、サブフレームグループ内の複数のサブフレームそれぞれにおける複数のセルそれぞれに対するＡＣＫ／ＮＡＣＫのペイロードサイズが２２ビットと等しい、または２２ビットよりも大きい際には、まずセル単位でＡＣＫ／ＮＡＣＫに空間的なバンドリングを実行し、ＡＣＫ／ＮＡＣＫのペイロードサイズが２２ビットに最も近く、２２ビットより小さい値にするよう試みる。つまり、移動局装置１は、ＡＣＫ／ＮＡＣＫのペイロードサイズが所定のサイズ（21ビット）以下になるまで、セルに対するＡＣＫ／ＮＡＣＫを順番に空間的にバンドリングする処理を実行する。
【０１０３】
尚、移動局装置１は、複数のセル（プライマリーセルとセカンダリーセル）のうちセカンダリーセルから順番に、セカンダリーセルに対するＡＣＫ／ＮＡＣＫを空間的にバンドリングする処理を実行する。尚、移動局装置１は、基地局装置３によってセカンダリーセルが複数設定されている場合には、基地局装置３によって通知されたセカンダリーセルに対する優先度、または基地局装置３によって設定されたセルインデックスの順番に従ってセカンダリーセルを選択していき、選択されたセルに対するＡＣＫ／ＮＡＣＫを空間的にバンドリングする処理を実行する。
【０１０４】
図６は、本発明のＡＣＫ／ＮＡＣＫに空間的なバンドリングを実行する一例を示す図である。図６において、横軸は周波数領域、縦軸は時間領域を示す。図６では、移動局装置１に対して１つのプライマリーセルと３つのセカンダリーセルが設定されている。プライマリーセルのセルインデックスは０であり、セカンダリーセル１のセルインデックスは１であり、セカンダリーセル２のセルインデックスは２であり、セカンダリーセル３のセルインデックスは３である。プライマリーセルとセカンダリーセル２とセカンダリーセル３はＳＤＭセルであり、セカンダリーセル２はｎｏｎ−ＳＤＭセルである。図６では、移動局装置１によって同一の上りリンクサブフレームの物理チャネルで、下りリンクサブフレームに対応するＡＣＫ／ＮＡＣＫがともに送信されるサブフレームグループは、４つのサブフレームから構成される。
【０１０５】
図６において、まず移動局装置１は、サブフレームグループ内の複数のサブフレームそれぞれにおける複数のサービングセルそれぞれに対するＡＣＫ／ＮＡＣＫを生成する。移動局装置１は、ＳＤＭセルに対してはサブフレームそれぞれに対して２ビットずつ、合計８ビットのＡＣＫ／ＮＡＣＫを生成し、ｎｏｎ−ＳＤＭセルに対してはサブフレームそれぞれに対して１ビットずつ、合計４ビットのＡＣＫ／ＮＡＣＫを生成する。図６では、移動局装置１はサブフレームグループに対して２８ビットのＡＣＫ／ＮＡＣＫを生成する。
【０１０６】
次に、移動局装置１は、生成されたＡＣＫ／ＮＡＣＫのペイロードサイズが所定のサイズ（21ビット）よりも大きいので、セルインデックスの最も大きいＳＤＭセルであるセカンダリーセル３に対する８ビットのＡＣＫ／ＮＡＣＫに対して空間的なバンドリングを実行し、セカンダリーセル３に対する４ビットのＡＣＫ／ＮＡＣＫを生成する。これにより、サブフレームグループに対するＡＣＫ／ＮＡＣＫのペイロードサイズは２４ビットになるが、まだ所定のサイズ（21ビット）よりも大きいので、移動局装置１は、セルインデックスが次に大きいＳＤＭセルであるセカンダリーセル１に対する８ビットのＡＣＫ／ＮＡＣＫに対して空間的なバンドリングを実行し、セカンダリーセル１に対する４ビットのＡＣＫ／ＮＡＣＫを生成する。これにより、サブフレームグループに対するＡＣＫ／ＮＡＣＫのペイロードサイズは２０ビットになり、所定のサイズ（21ビット）以下になるので、移動局装置１はＡＣＫ／ＮＡＣＫに対する空間的なバンドリング処理を終了する。
【０１０７】
移動局装置１は、全てのサービングセルに対するＡＣＫ／ＮＡＣＫに空間的なバンドリングを実行しても、ＡＣＫ／ＮＡＣＫのペイロードサイズが２２ビットと等しい、または２２ビットよりも大きい、または全てのサービングセルがｎｏｎ−ＳＤＭセルであってＡＣＫ／ＮＡＣＫのペイロードサイズが２２ビットと等しい、または２２ビットよりも大きい際には、セル単位でＡＣＫ／ＮＡＣＫを時間領域バンドリングし、ＡＣＫ／ＮＡＣＫのペイロードサイズが２２ビットに最も近く、２２ビットより小さい値にするよう試みる。つまり、移動局装置１は、ＡＣＫ／ＮＡＣＫのペイロードサイズが所定のサイズ（21ビット）以下になるまで、セルに対するＡＣＫ／ＮＡＣＫを順番に時間領域バンドリングする処理を実行する。
【０１０８】
移動局装置１は、図６においてＡＣＫ／ＮＡＣＫに対して空間的なバンドリングを実行した後に、ＡＣＫ／ＮＡＣＫを、四角に付された番号の順番に連結する。ＡＣＫ／ＮＡＣＫに空間的なバンドリングが実行されていない場合には、空間領域多重された第１の下りリンクデータから順番にＡＣＫ／ＮＡＣＫを連結する。
【０１０９】
次に、本発明のＡＣＫ／ＮＡＣＫに時間領域バンドリングを実行するかを判定する方法について説明する。
【０１１０】
移動局装置１は、サブフレームグループ内の複数のサブフレームそれぞれにおける複数のセルそれぞれに対するＡＣＫ／ＮＡＣＫのペイロードサイズが２２ビットと等しい、または２２ビットよりも大きい際には、セル単位でＡＣＫ／ＮＡＣＫを時間領域バンドリングし、ＡＣＫ／ＮＡＣＫのペイロードサイズが２２ビットに最も近く、小さい値にするよう試みる。つまり、移動局装置１は、ＡＣＫ／ＮＡＣＫのペイロードサイズが所定のサイズ（21ビット）以下になるまで、セルに対するＡＣＫ／ＮＡＣＫを順番に時間領域バンドリングする処理を実行する。
【０１１１】
尚、移動局装置１は、複数のセル（プライマリーセルとセカンダリーセル）のうちセカンダリーセルから順番に、セカンダリーセルに対するＡＣＫ／ＮＡＣＫを時間領域バンドリングする処理を実行する。尚、移動局装置１は、基地局装置３によってセカンダリーセルが複数設定されている場合には、基地局装置３によって通知されたセカンダリーセルに対する優先度、または基地局装置３によって設定されたセルインデックスの順番に従ってセカンダリーセルを選択していき、選択されたセルに対するＡＣＫ／ＮＡＣＫを時間領域バンドリングする処理を実行する。
【０１１２】
図７は、本発明のＡＣＫ／ＮＡＣＫに時間領域バンドリングを実行する一例を示す図である。図７において、横軸は周波数領域、縦軸は時間領域を示す。図７では、移動局装置１に対して１つのプライマリーセルと２つのセカンダリーセルが設定されている。プライマリーセルのセルインデックスは０であり、セカンダリーセル１のセルインデックスは１であり、セカンダリーセル２のセルインデックスは２である。プライマリーセルとセカンダリーセル２はＳＤＭセルであり、セカンダリーセル２はｎｏｎ−ＳＤＭセルである。図７では、移動局装置１によって同一の上りリンクサブフレームの物理チャネルで、下りリンクサブフレームに対応するＡＣＫ／ＮＡＣＫがともに送信されるサブフレームグループは、４つのサブフレームから構成される。
【０１１３】
図７において、まず移動局装置１は、サブフレームグループ内の複数のサブフレームそれぞれにおける複数のサービングセルそれぞれに対するＡＣＫ／ＮＡＣＫを生成する。移動局装置１は、ＳＤＭセルに対してはサブフレームそれぞれに対して２ビットずつ、合計１８ビットのＡＣＫ／ＮＡＣＫを生成し、ｎｏｎ−ＳＤＭセルに対してはサブフレームそれぞれに対して１ビットずつ、合計９ビットのＡＣＫ／ＮＡＣＫを生成する。図７では、移動局装置１はサブフレームグループに対して４５ビットのＡＣＫ／ＮＡＣＫを生成する。
【０１１４】
次に、移動局装置１は、生成されたＡＣＫ／ＮＡＣＫのペイロードサイズが所定のサイズ（21ビット）よりも大きいので、プライマリーセルとセカンダリーセル１に対する１８ビットのＡＣＫ／ＮＡＣＫそれぞれに対して空間的なバンドリングを実行し、プライマリーセルとセカンダリーセル１それぞれに対する９ビットのＡＣＫ／ＮＡＣＫを生成する。
【０１１５】
これにより、サブフレームグループに対するＡＣＫ／ＮＡＣＫのペイロードサイズは２７ビットになるが、まだ所定のサイズ（21ビット）よりも大きいので、移動局装置１は、セルインデックスが最も大きいサービングセルであるセカンダリーセル２に対する９ビットのＡＣＫ／ＮＡＣＫに対して時間領域バンドリングを実行し、セカンダリーセル２に対する４ビットのＡＣＫ／ＮＡＣＫを生成する。
【０１１６】
これにより、サブフレームグループに対するＡＣＫ／ＮＡＣＫのペイロードサイズは２２ビットになるが、まだ所定のサイズ（21ビット）よりも大きいので、移動局装置１は、セルインデックスが次に大きいサービングセルであるセカンダリーセル１に対する９ビットのＡＣＫ／ＮＡＣＫに対して時間領域バンドリングを実行し、セカンダリーセル１に対する４ビットのＡＣＫ／ＮＡＣＫを生成する。これにより、サブフレームグループに対するＡＣＫ／ＮＡＣＫのペイロードサイズは１７ビットになり、所定のサイズ（21ビット）以下になるので、移動局装置１はＡＣＫ／ＮＡＣＫに対する時間領域バンドリング処理を終了する。
【０１１７】
尚、図７において、移動局装置１がセルに時間領域バンドリングを実行する際には、移動局装置１は、サブフレームグループ内の１番目と２番目のサブフレーム、３番目と４番目のサブフレーム、５番目と６番目のサブフレーム、７番目と８番目と９番目のサブフレームそれぞれを時間領域バンドリングし、セル毎に４ビットのバンドルされたＡＣＫ／ＮＡＣＫを生成する。セル毎に４つのバンドルされたＡＣＫ／ＮＡＣＫが生成されるため、移動局装置１は、５つのセルに対する２０ビットのバンドルされたＡＣＫ／ＮＡＣＫを、同一の上りリンクサブフレームの物理チャネルを用いて基地局装置３へ送信することができる。
【０１１８】
移動局装置１は、図７においてＡＣＫ／ＮＡＣＫに対して空間的なバンドリングおよび／または時間領域バンドリングを実行した後に、あるセルおよびあるサブフレームまたは時間領域バンドリングされた複数のサブフレームに対するＡＣＫ／ＮＡＣＫを四角に付された番号の順番に連結する。
【０１１９】
これにより、移動局装置１は、所定のサイズよりも大きいペイロードサイズのＡＣＫ／ＮＡＣＫに対してバンドリング処理を実行しすぎることなく、物理チャネルで送信できるＡＣＫ／ＮＡＣＫの最大のペイロードサイズ以下で、最大のペイロードサイズに近いペイロードサイズのＡＣＫ／ＮＡＣＫを基地局装置３へ送信することができ、上りリンクのリソースを効果的に使用することがでる。
【０１２０】
以下、本発明のサブフレームの構成について説明する。図８は、本発明の下りリンクサブフレームの構成の一例を示す概略図である。図８において、横軸は時間領域、縦軸は周波数領域である。図８に示すように、下りリンクサブフレームは、複数の下りリンクの物理リソースブロック（Physical Resource Block; PRB）ペア（例えば、図８の破線で囲まれた領域）から構成されている。この下りリンクの物理リソースブロックペアは、無線リソースの割り当てなどの単位であり、予め決められた幅の周波数帯（PRB帯域幅；180kHz）および時間帯（2個のスロット＝1個のサブフレーム；1ms）からなる。
【０１２１】
１個の下りリンクの物理リソースブロックペアは、時間領域で連続する２個の下りリンクの物理リソースブロック（PRB帯域幅×スロット）から構成される。１個の下りリンクの物理リソースブロック（図８において、太線で囲まれている単位）は、周波数領域において１２個のサブキャリア（15kHz）から構成され、時間領域において７個のＯＦＤＭ（Orthogonal Frequency Division Multiplexing）シンボル（71μｓ）から構成される。
【０１２２】
時間領域においては、１個のサブフレーム（1ms）は２つのスロット（0.5ms）から構成される。また１つのスロットは７個のＯＦＤＭシンボル（約71μｓ）から構成される。サブフレームと同じ時間間隔である１ｍｓのことを、送信時間間隔（Transmit Time Interval: TTI）とも称する。周波数領域においては、ＤＬ  ＣＣの帯域幅に応じて複数の下りリンクの物理リソースブロックが配置される。尚、１個のサブキャリアと１個のＯＦＤＭシンボルから構成されるユニットを下りリンクリソースエレメントと称する。
【０１２３】
以下、下りリンクに割り当てられる物理チャネルの配置について説明する。下りリンクの各サブフレームには、ＰＤＣＣＨ、ＰＣＦＩＣＨ、ＰＨＩＣＨ、ＰＤＳＣＨ、および下りリンク参照信号などが配置される。ＰＤＣＣＨはサブフレームの先頭のＯＦＤＭシンボルから（図８において、右上がりの斜線でハッチングがされた領域）配置される。ＰＤＣＣＨが配置されるＯＦＤＭシンボルの数はサブフレーム毎に異なり、ＰＤＣＣＨが配置されるＯＦＤＭシンボルの数を示す情報はサブフレーム内の１番目のＯＦＤＭシンボルで送信されるＰＣＦＩＣＨで報知される。各サブフレームでは、複数のＰＤＣＣＨが周波数多重および時間多重される。
【０１２４】
ＰＣＦＩＣＨはサブフレームの先頭のＯＦＤＭシンボルに配置され、ＰＤＣＣＨと周波数多重される。ＰＨＩＣＨは、ＰＤＣＣＨと同一のＯＦＤＭシンボル内で周波数多重される。各サブフレームでは、複数のＰＨＩＣＨが周波数多重および符号多重される。移動局装置１は、ＰＵＳＣＨを送信してから所定の時間後（例えば、4ms後、4サブフレーム後、4TTI後）の下りリンクのサブフレームのＰＨＩＣＨで、このＰＵＳＣＨで送信した上りリンクデータに対するＡＣＫ／ＮＡＣＫを受信する。
【０１２５】
ＰＤＳＣＨは、サブフレーム内のＰＤＣＣＨおよびＰＣＦＩＣＨおよびＰＨＩＣＨが配置されるＯＦＤＭシンボル以外のＯＦＤＭシンボル（図８において、ハッチングがされない領域）に配置される。ＰＤＳＣＨの無線リソースの割り宛ては、下りリンクアサインメントを用いて移動局装置１に示される。ＰＤＳＣＨの無線リソースは、時間領域において、このＰＤＳＣＨの割り当てを示す下りリンクアサインメントを含むＰＤＣＣＨと同一の下りリンクのサブフレームに配置される。
【０１２６】
ＰＤＳＣＨと、このＰＤＳＣＨに対するＰＤＣＣＨは同じまたは異なるサービングセルに配置される。各下りリンクコンポーネントキャリアのサブフレームでは、複数のＰＤＳＣＨが周波数多重および空間多重される。下りリンク参照信号については、説明の簡略化のため図８において図示を省略するが、下りリンク参照信号は周波数領域と時間領域において分散して配置される。
【０１２７】
図９は、本発明の上りリンクサブフレームの構成の一例を示す概略図である。図９において、横軸は周波数領域、縦軸は時間領域である。図９に示すように、ＵＬ  ＣＣのサブフレームは、複数の上りリンクの物理リソースブロックペア（例えば、図９の破線で囲まれた領域）から構成されている。この上りリンクの物理リソースブロックペアは、無線リソースの割り当てなどの単位であり、予め決められた幅の周波数帯（PRB帯域幅；180kHz）および時間帯（2個のスロット＝1個のサブフレーム；1ms）からなる。
【０１２８】
１個の上りリンクの物理リソースブロックペアは、時間領域で連続する２個の上りリンクの物理リソースブロック（PRB帯域幅×スロット）から構成される。１個の上りリンクの物理リソースブロック（図９において、太線で囲まれている単位）は、周波数領域において１２個のサブキャリアから構成され、時間領域において７個のＳＣ−ＦＤＭＡ（Single-Carrier Frequency Division Multiple Access）シンボル（71μｓ）から構成される。
【０１２９】
時間領域においては、１個のサブフレーム（1ms）は２つのスロット（0.5ms）から構成される。また１つのスロットは７個のＳＣ−ＦＤＭＡシンボル（時間シンボル）（約71μｓ）から構成される。サブフレームと同じ時間間隔である１ｍｓのことを、送信時間間隔（Transmit Time Interval: TTI）とも称する。周波数領域においては、ＵＬ  ＣＣの帯域幅に応じて複数の上りリンクの物理リソースブロックが配置される。尚、１個のサブキャリアと１個のＳＣ−ＦＤＭＡシンボルから構成されるユニットを上りリンクリソースエレメントと称する。
【０１３０】
以下、上りリンクの無線フレーム内に割り当てられる物理チャネルについて説明する。上りリンクの各サブフレームには、ＰＵＣＣＨ、ＰＵＳＣＨ、ＰＲＡＣＨおよび上りリンク参照信号などが配置される。ＰＵＣＣＨは、上りリンクの帯域の両端の上りリンクの物理リソースブロック（右上がりの斜線でハッチングがされた領域）に配置される。各サブフレームでは、複数のＰＵＣＣＨが周波数多重および符号多重される。
【０１３１】
ＰＵＳＣＨは、ＰＵＣＣＨが配置される上りリンクの物理リソースブロック以外の上りリンクの物理リソースブロックペア（ハッチングがされない領域）に配置される。ＰＵＳＣＨの無線リソースは、上りリンクグラントを用いて割り当てられ、この上りリンクグラントを含むＰＤＣＣＨが配置された下りリンクのサブフレームから所定の時間後（例えば、4ms後、4サブフレーム後、4TTI後）の上りリンクのサブフレームに配置される。各サブフレームでは、複数のＰＵＳＣＨが周波数多重および空間多重される。
【０１３２】
ＰＲＡＣＨが配置されるサブフレームおよび上りリンクの物理リソースブロックを示す情報は、基地局装置３によって報知される。上りリンク参照信号は、ＰＵＳＣＨとＰＵＣＣＨと時間多重されて送信される。ＰＵＳＣＨと上りリンク参照信号が時間多重される場合は、上りリンク参照信号は周波数領域においてＰＵＳＣＨが割り当てられたのと同じ周波数帯域に配置され、時間領域において４番目と１１番目のＳＣ−ＦＤＭＡシンボルに配置される。ＰＵＣＣＨと上りリンク参照信号が時間多重される場合は、上りリンク参照信号は周波数領域においてＰＵＣＣＨが割り当てられたのと同じ周波数帯域に配置され、時間領域において２番目と５番目と９番目と１３番目のＳＣ−ＦＤＭＡシンボルに配置される。
【０１３３】
以下、本発明の移動局装置１の装置構成について説明する。図１０は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【０１３４】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【０１３５】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した上りリンクデータの復号に成功した場合には、ＡＣＫを生成し送信部１０７にＡＣＫを出力し、受信した上りリンクデータの復号に失敗した場合には、ＮＡＣＫを生成し、送信部１０７にＮＡＣＫを出力する。
【０１３６】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、ＮＡＣＫを示すＨＡＲＱインディケータを受信したサブフレームから４つ後のサブフレームにおいて、スケジューリング部１０１３によって記憶されている上りリンクグラントに従ってＰＵＳＣＨの再送信を行なうよう、制御部１０３を介して送信部１０７を制御する。スケジューリング部１０１３は、下りリンクアサインメントを受信したサブフレームにおいて、受信された下りリンクアサインメントに従ってＰＤＳＣＨを受信するよう、制御部１０３を介して受信部１０５を制御する。
【０１３７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１３８】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１３９】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行ない、周波数領域の信号を抽出する。
【０１４０】
多重分離部１０５５は、抽出した信号をＰＨＩＣＨ、ＰＤＣＣＨ、ＰＤＳＣＨ、および下りリンク参照信号に、それぞれ分離する。尚、この分離は、下りリンクアサインメントで通知された無線リソースの割り当て情報などに基づいて行なわれる。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１４１】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ（Quadrature Phase Shift Keying）変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。復調部１０５３は、ＰＤＳＣＨに対して、ＱＰＳＫ、１６ＱＡＭ（Quadrature Amplitude Modulation）、６４ＱＡＭ等の下りリンクアサインメントで通知された変調方式の復調を行ない、復号化部１０５１へ出力する。
【０１４２】
復号化部１０５１は、下りリンク制御情報で通知された符号化率に関する情報に基づいて復号を行ない、復号した下りリンクデータを上位層処理部１０１へ出力する。チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１４３】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【０１４４】
符号化部１０７１は、上位層処理部１０１から入力された上りリンク制御情報と上りリンクデータを符号化し、符号化ビットをＰＵＳＣＨ生成部および／またはＰＵＣＣＨ生成部に出力する。図１１は、本発明の符号化部１０７１の構成を示す概略ブロック図である。符号化部１０７１は、データ符号化部１０７１ａ、チャネル品質情報符号化部１０７１ｂ、ＨＡＲＱ−ＡＣＫ連結部１０７１ｃ、ＨＡＲＱ−ＡＣＫ分割部１０７１ｄ、ＲＭ符号化部１０７１ｅ、ＲＭ符号化部１０７１ｆ、符号化ビット連結部１０７１ｇとインターリーブ部１０７１ｈを含んで構成される。
【０１４５】
データ符号化部１０７１ａは、基地局装置３から受信した上りリンクグラントに基づいて上位層処理部１０１から入力された上りリンクデータを符号化し、上りリンクデータの符号化ビットをインターリーブ部１０７１ｈへ出力する。
【０１４６】
同一の上りリンクサブフレームのＰＵＣＣＨでチャネル品質情報を送信する、またはＰＵＳＣＨでチャネル品質情報を送信する際には、チャネル品質情報符号化部１０７１ｂには、上位層処理部１０１からチャネル品質情報が入力され、チャネル品質情報符号化部１０７１ｂは、上位層処理部１０１から入力されたチャネル品質情報を符号化する。チャネル品質情報符号化部１０７１ｂは、チャネル品質情報がＰＵＳＣＨで送信される際には、チャネル品質情報の符号化ビットをインターリーブ部１０７１ｈへ出力する。チャネル品質情報符号化部１０７１ｂは、チャネル品質情報のみがＰＵＣＣＨで送信される際には、チャネル品質情報の符号化ビットをＰＵＣＣＨ生成部１０７５へ出力する。
【０１４７】
同一の上りリンクサブフレームのＰＵＣＣＨでＡＣＫ／ＮＡＣＫとチャネル品質情報とＳＲを送信する際には、ＨＡＲＱ−ＡＣＫ連結部１０７１ｃには、上位層処理部１０１からＡＣＫ／ＮＡＣＫとチャネル品質情報とＳＲが入力され、ＨＡＲＱ−ＡＣＫ連結部１０７１ｃは、ＡＣＫ／ＮＡＣＫまたはバンドリングされたＡＣＫ／ＮＡＣＫと、チャネル品質情報とＳＲを連結およびインターリーブする。ＨＡＲＱ−ＡＣＫ連結部１０７１ｃは、上位層処理部１０１から入力されたＡＣＫ／ＮＡＣＫのペイロードサイズ（ビット数）が所定のサイズよりも大きい場合には、ＡＣＫ／ＮＡＣＫに空間的なバンドリングおよび／または時間領域バンドリングを実行する。ＨＡＲＱ−ＡＣＫ連結部１０７１ｃは、ＡＣＫ／ＮＡＣＫまたはバンドリングされたＡＣＫ／ＮＡＣＫを連結し、連結されたＡＣＫ／ＮＡＣＫをＨＡＲＱ−ＡＣＫ分割部１０７１ｄへ出力する。
【０１４８】
ＨＡＲＱ−ＡＣＫ分割部１０７１ｄは、入力されたＡＣＫ／ＮＡＣＫおよび／またはチャネル品質情報および／またはＳＲを第１のＡＣＫ／ＮＡＣＫセグメントと第２のＡＣＫ／ＮＡＣＫセグメントに分割し、第１のＡＣＫ／ＮＡＣＫセグメントをＲＭ（Reed-Muller）符号化部１０７１ｅへ出力し、第２のＡＣＫ／ＮＡＣＫセグメントをＲＭ符号化部１０７１ｆへ出力する。第１のＡＣＫ／ＮＡＣＫセグメントのペイロードサイズ（ビット数）Ｏ(0)は（１）式で表される。第２のＡＣＫ／ＮＡＣＫのペイロードサイズ（ビット数）Ｏ(1)は（２）式で表される。ｃｅｉｌ（・）は括弧の中の数字を切り上げる関数である。
【０１４９】
【数１】
2012063754.tif 000003
【数２】
2012063754.tif 000004
【０１５０】
ＲＭ符号化部１０７１ｅは、入力された第１のＡＣＫ／ＮＡＣＫセグメントを（３）式に従ってＲＭ符号化し、第１のＡＣＫ／ＮＡＣＫセグメントの符号化ビットを符号化ビット連結部１０７１ｇへ出力する。ＲＭ符号化部１０７１ｆは、入力された第２のＡＣＫ／ＮＡＣＫセグメントを（４）式に従ってＲＭ符号化し、第２のＡＣＫ／ＮＡＣＫセグメントの符号化ビットを符号化ビット連結部１０７１ｇへ出力する。
【０１５１】
【数３】
2012063754.tif 000005
【数４】
2012063754.tif 000006
【０１５２】
（３）式および（４）式におけるＭｉ,ｎはリードマラー符号のベースシーケンスである。図１２は、本発明のベースシーケンスＭｉ,ｎを示す表である。Ｑ(0)は、第１のＡＣＫ／ＮＡＣＫセグメントの符号化ビットのビット数を示す。Ｑ(1)は、第１のＡＣＫ／ＮＡＣＫセグメントの符号化ビットのビット数を示す。
【０１５３】
符号化ビット連結部１０７１ｇは、ＲＭ符号化部１０７１ｅから入力された第１のＡＣＫ／ＮＡＣＫセグメントの符号化ビットと、ＲＭ符号化部１０７１ｆから入力された第２のＡＣＫ／ＮＡＣＫセグメントの符号化ビットを連結する。符号化ビット連結部１０７１ｇは、ＡＣＫ／ＮＡＣＫをＰＵＳＣＨで送信する場合には、連結されたＡＣＫ／ＮＡＣＫの符号化ビットをインターリーブ部１０７１ｈへ出力する。符号化ビット連結部１０７１ｇは、ＡＣＫ／ＮＡＣＫおよび／またはチャネル品質情報および／またはＳＲをＰＵＣＣＨで送信する場合には、連結されたＡＣＫ／ＮＡＣＫおよび／またはチャネル品質情報および／またはＳＲの符号化ビットをＰＵＣＣＨ生成部１０７５へ出力する。
【０１５４】
インターリーブ部１０７１ｇは、データ符号化部１０７１ａから入力された上りリンクデータの符号化ビットと、チャネル品質情報符号化部１０７１ｂから入力されたチャネル品質情報の符号化ビットと、符号化ビット連結部１０７１ｆから入力された連結されたＡＣＫ／ＮＡＣＫの符号化ビットを連結およびインターリーブし、連結された符号化ビットをＰＵＳＣＨ生成部１０７３へ出力する。
【０１５５】
図１３は、本発明の符号化シンボルのインターリーブを実行する一例を示す図である。符号化シンボルは、ＰＵＳＣＨの上りリンクデータに対する変調方式の変調多値数と同じ数の符号化ビットをグループ化したものであり、１つの符号化シンボルが変調されることで１つの変調シンボルが生成される。図１３において、サブフレーム内のＳＣ−ＦＤＭＡシンボルシンボルの数と同じ数の列がある。ただし、４列目と１１列目は上りリンク参照信号（DMRS）のための領域なので、符号化シンボルは配置されない。図１３において、上りリンクグラントによって割り当てを示されたＰＵＳＣＨのサブキャリアの数と同じ数の列がある。
【０１５６】
図１３の同一の列に配置される符号化シンボルは変調された後に、変調シンボルがともに離散フーリエ変換（Discrete Fourier Transform: DFT）され、ＤＦＴされた信号が上りリンクグラントによって無線リソースの割り当てを示されたＰＵＳＣＨのリソースエレメントに配置される。ｉ列目の符号化シンボルから生成されたＤＦＴされた信号はサブフレーム内のｉ番目のＳＣ−ＦＤＭＡシンボルに対応するリソースエレメントに配置される。インターリーブ部１０７１ｈは、上りリンクデータの符号化シンボルとＡＣＫ／ＮＡＣＫの符号化シンボルとＣＱＩ／ＰＭＩの符号化シンボルとＲＩの符号化シンボルを、図１０のように連結およびインターリーブする。
【０１５７】
符号化部１０７１は、ＳＲのみをＰＵＣＣＨで送信する場合には、ＳＲを符号化せずにＰＵＣＣＨ生成部１０７５へ出力する。
【０１５８】
ＰＵＳＣＨ生成部１０７３は、インターリーブ部１０７１ｈから入力された連結された符号化ビットを変調して変調シンボルを生成し、図１３において同じ列に配置されている変調シンボルをＤＦＴし、ＤＦＴされたＰＵＳＣＨの信号を多重部１０７７へ出力する。
【０１５９】
ＰＵＣＣＨ生成部１０７５は、符号化ビット連結部１０７１ｇから入力された連結されたＡＣＫ／ＮＡＣＫおよび／またはチャネル品質情報および／またはＳＲの符号化ビットをＱＰＳＫ変調し、第１のＡＣＫ／ＮＡＣＫセグメントの変調シンボルと第２のＡＣＫ／ＮＡＣＫセグメントの変調シンボルを生成する。ＰＵＣＣＨ生成部１０７５は、第１のＡＣＫ／ＮＡＣＫセグメントの変調シンボルと第２のＡＣＫ／ＮＡＣＫセグメントの変調シンボルを連結およびインターリーブし、インターリーブした変調シンボルを上位の変調シンボルのブロックと下位の変調シンボルのブロックに分割する。
【０１６０】
ＰＵＣＣＨ生成部１０７５は、上位の変調シンボルのブロックおよび下位の変調シンボルのブロックそれぞれを時間領域においてＳＣ−ＦＤＭＡシンボル単位で符号拡散し、符号拡散された変調シンボルのブロック毎にＤＦＴを行ない、ＤＦＴされたＰＵＣＣＨの信号を多重部１０７７へ出力する。上位の変調シンボルから生成されたＰＵＣＣＨの信号はサブフレーム内の１番目のスロットで送信され、下位の変調シンボルから生成されたＰＵＣＣＨの信号はサブフレーム内の２番目のスロットで送信される。尚、ＰＵＣＣＨ生成部１０７５がチャネル品質情報の符号化ビット、およびＳＲからＰＵＣＣＨの信号を生成する方法については省略する。
【０１６１】
上りリンク参照信号生成部１０７１１は、基地局装置３を識別するための物理セル識別子（physical cell identity: PCI、Cell IDなどと称する）、上りリンク参照信号を配置する帯域幅、上りリンクグラントで通知されたサイクリックシフトなどを基に予め定められた規則で求まる、基地局装置３が既知の系列を生成し、生成した上りリンク参照信号を多重部１０７７へ出力する。
【０１６２】
多重部１０７５は、制御部１０３から入力された制御信号に従って、ＰＵＳＣＨ生成部から入力されたＰＵＳＣＨの信号および／またはＰＵＣＣＨ生成部から入力されたＰＵＣＣＨの信号および／または上りリンク参照信号生成部１０７１１から入力された上りリンク参照信号を、送信アンテナポート毎に上りリンクのリソースエレメントに多重する。
【０１６３】
無線送信部１０７７は、多重された信号を逆高速フーリエ変換（Inverse Fast Fourier Transform: IFFT）して、ＳＣ−ＦＤＭＡ方式の変調を行ない、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１６４】
以下、本発明の基地局装置３の装置構成について説明する。図１４は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、ＡＣＫ／ＮＡＣＫ分離部３０５３、制御情報復調／復号部３０５５、多重分離部３０５７、無線受信部３０５９とチャネル測定部３０５１１を含んで構成される。また、送信部３０７は、符号化部３０７１、変調部３０７３、多重部３０７５、無線送信部３０７７と下りリンク参照信号生成部３０７９を含んで構成される。
【０１６５】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１６６】
上位層処理部３０１が備える無線リソース制御部３０１１は、下りリンクのＰＤＳＣＨに配置される下りリンクデータ、ＲＲＣシグナル、ＭＡＣ  ＣＥ（Control Element）を生成し、または上位ノードから取得し、ＨＡＲＱ制御部３０１３に出力する。また、無線リソース制御部３０１１は、移動局装置１各々の各種設定情報の管理をする。例えば、無線リソース制御部３０１１は、移動局装置１に設定したサービングセルの管理などを行なう。
【０１６７】
上位層処理部３０１が備えるスケジューリング部３０１３は、移動局装置１に割り当てるＰＵＳＣＨやＰＵＣＣＨの無線リソースの管理をしている。スケジューリング部３０１３は、移動局装置１にＰＵＳＣＨの無線リソースを割り当てた場合には、ＰＵＳＣＨの無線リソースの割り当てを示す上りリンクグラントを生成し、生成した上りリンクグラントを送信部３０７へ出力する。
【０１６８】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１６９】
受信部３０５は、制御部３０３から入力された制御信号に従って、送受信アンテナ３０９を介して移動局装置１から受信した受信信号を分離、復調、復号し、復号した情報を上位層処理部３０１に出力する。
【０１７０】
無線受信部３０５９は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部３０５９は、変換したディジタル信号からガードインターバル（Guard Interval: GI）に相当する部分を除去する。無線受信部３０５９は、ガードインターバルを除去した信号に対して高速フーリエ変換（Fast Fourier Transform: FFT）を行ない、周波数領域の信号を抽出し多重分離部３０５７に出力する。
【０１７１】
多重分離部３０５７は、無線受信部３０５９から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。多重分離部３０５７は、チャネル測定部３０５１１から入力された伝搬路の推定値から、ＰＵＣＣＨとＰＵＳＣＨの伝搬路の補償を行なう。また、多重分離部３０５７は、分離した上りリンク参照信号をチャネル測定部３０５１１に出力する。
【０１７２】
多重分離部３０５７は、分離したＰＵＣＣＨとＰＵＳＣＨの信号を逆離散フーリエ変換（Inverse Discrete Fourier Transform: IDFT）し、上りリンクデータの変調シンボルと上りリンク制御情報（ACK/NACK）の変調シンボルを取得する。多重分離部３０５７は、ＰＵＳＣＨの信号から取得した上りリンクデータの変調シンボルをデータ復調／復号部３０５１へ出力する。多重分離部３０５５は、ＰＵＣＣＨの信号またはＰＵＳＣＨの信号から取得した上りリンク制御情報（ACK/NACK）の変調シンボルを制御情報復調／復号部３０５５へ出力する。
【０１７３】
チャネル測定部３０５１１は、多重分離部３０５７から入力された上りリンク参照信号から伝搬路の推定値、チャネルの品質などを測定し、多重分離部３０５７および上位層処理部３０１に出力する。
【０１７４】
データ復調／復号部３０５１は、多重分離部３０５７から入力された上りリンクデータの変調シンボルを復調し、復調された上りリンクデータの符号化ビットを復号し、復号された上りリンクデータを上位層処理部３０１へ出力する。
【０１７５】
制御情報復調／復号部３０５５は、多重分離部３０５７から入力されたＡＣＫ／ＮＡＣＫの変調シンボルのうち、第１のＡＣＫ／ＮＡＣＫセグメントに対応する変調シンボルに対して最尤判定法などを用いて第１のＡＣＫ／ＮＡＣＫセグメントを復号する。制御情報復調／復号部３０５５は、多重分離部３０５７から入力されたＡＣＫ／ＮＡＣＫの変調シンボルのうち、第２のＡＣＫ／ＮＡＣＫセグメントに対応する変調シンボルに対して最尤判定法などを用いて第２のＡＣＫ／ＮＡＣＫセグメントを復号する。制御情報復調／復号部３０５５は、復号した第１のＡＣＫ／ＮＡＣＫセグメントと第２のＡＣＫ／ＮＡＣＫセグメントを連結し、連結したＡＣＫ／ＮＡＣＫおよび／またはチャネル品質情報および／またはＳＲをＡＣＫ／ＮＡＣＫ分離部３０５３へ出力する。尚、チャネル品質情報またはＳＲのみがＰＵＣＣＨで送信された場合の復調／復号処理については省略する。
【０１７６】
ＡＣＫ／ＮＡＣＫ分離部３０５３は、制御情報復調／復号部３０５５から入力されたＡＣＫ／ＮＡＣＫを、サブフレームそれぞれにおけるセルそれぞれに対するＡＣＫ／ＮＡＣＫに分離し、分離したＡＣＫ／ＮＡＣＫを上位層処理部３０１へ出力する。ＡＣＫ／ＮＡＣＫ分離部３０５３は、ＡＣＫ／ＮＡＣＫが対応するサブフレームおよびセルを判別し、サブフレームそれぞれにおけるセルそれぞれに対するＡＣＫ／ＮＡＣＫを上位層処理部３０１へ出力する。ＡＣＫ／ＮＡＣＫ分離部３０５３は、チャネル品質情報とＳＲをそのまま上位層処理部３０１へ出力する。
【０１７７】
ＡＣＫ／ＮＡＣＫ分離部３０５３は、制御情報復調／復号部３０５５から入力されたＡＣＫ／ＮＡＣＫがバンドリングされている際には、バンドルされたＡＣＫ／ＮＡＣＫに対応する複数のＡＣＫ／ＮＡＣＫを生成する。ＡＣＫ／ＮＡＣＫ分離部３０５３は、バンドルされたＡＣＫ／ＮＡＣＫがＡＣＫである場合には、バンドルされたＡＣＫ／ＮＡＣＫに対応する複数のＡＣＫ／ＮＡＣＫとして全てＡＣＫを生成する。ＡＣＫ／ＮＡＣＫ分離部３０５３は、バンドルされたＡＣＫ／ＮＡＣＫがＮＡＣＫである場合には、バンドルされたＡＣＫ／ＮＡＣＫに対応する複数のＡＣＫ／ＮＡＣＫとして全てＮＡＣＫを生成する。
【０１７８】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１７９】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１８０】
下りリンク参照信号生成部３０７９は、基地局装置３を識別するための物理セル識別子（PCI）などを基に予め定められた規則で求まる、移動局装置１が既知の系列を下りリンク参照信号として生成する。多重部３０７５は、変調された各チャネルの変調シンボルと生成された下りリンク参照信号を多重する。
【０１８１】
無線送信部３０７７は、多重された変調シンボルなどを逆高速フーリエ変換（Inverse Fast Fourier Transform: IFFT）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１８２】
以下、本発明の移動局装置１の動作をフローチャートで説明する。図１５は、本発明の移動局装置１の動作の一例を示すフローチャートである。移動局装置１は、同一のサブフレームの物理チャネルでサブフレームそれぞれにおけるセルに対するＡＣＫ／ＮＡＣＫがともに送信されるサブフレームグループに対するＡＣＫ／ＮＡＣＫを生成する（ステップＳ１００）。
【０１８３】
移動局装置１は、ステップＳ１００で生成されたＡＣＫ／ＮＡＣＫのペイロードサイズが所定のサイズよりも大きい場合には（ステップＳ１０１−Ｙｅｓ）、セルインデックスの大きいセカンダリーセルから順番に、セル単位でＡＣＫ／ＮＡＣＫに空間的なバンドリングを実行し、ＡＣＫ／ＮＡＣＫのペイロードサイズが所定のサイズ以下になるよう試みる（ステップＳ１０２）。移動局装置１は、ステップＳ１００で生成されたＡＣＫ／ＮＡＣＫのペイロードサイズが所定のサイズ以下の場合には（ステップＳ１０１−Ｎｏ）、ステップＳ１０５へ進む。
【０１８４】
移動局装置１は、ステップＳ１０２で全てのサービングセルに対して空間的なバンドリングを実行して生成されたＡＣＫ／ＮＡＣＫのペイロードサイズが所定のサイズよりも大きい場合には（ステップＳ１０３−Ｙｅｓ）、セルインデックスの大きいセカンダリーセルから順番に、セル単位でＡＣＫ／ＮＡＣＫに時間領域バンドリングを実行し、ＡＣＫ／ＮＡＣＫのペイロードサイズが所定のサイズ以下になるよう試みる（ステップＳ１０４）。移動局装置１は、ステップＳ１０２で生成されたＡＣＫ／ＮＡＣＫのペイロードサイズが所定のサイズ以下の場合には（ステップＳ１０３−Ｎｏ）、ステップＳ１０５へ進む。
【０１８５】
移動局装置１は、ステップＳ１０２および／またはステップＳ１０４でバンドルされた、またはバンドルされなかったＡＣＫ／ＮＡＣＫを連結および／またはインターリーブする（ステップＳ１０５）。尚、同一のＰＵＣＣＨでＡＣＫ／ＮＡＣＫとチャネル品質情報とＳＲがともに送信される場合には、ステップＳ１０５において、ステップＳ１０２および／またはステップＳ１０４でバンドルされた、またはバンドルされなかったＡＣＫ／ＮＡＣＫとチャネル品質情報とＳＲがともに連結および／またはインターリーブされる。ステップＳ１０５の後に、移動局装置１は、ＡＣＫ／ＮＡＣＫをバンドリングおよび連結する処理を終了する。
【０１８６】
これにより、移動局装置１が、上りリンク制御情報（ACK/NACK）を送信する際に上りリンクのリソースを効果的に利用した上りリンク制御情報（ACK/NACK）に対する処理を実行することができる。
【０１８７】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行なわれる。
【０１８８】
（ａ）本発明は、以下のような態様を採ることも可能である。すなわち、本発明の移動局装置は、基地局装置によって設定された複数のセルを用いて基地局装置と通信する移動局装置であって、複数のサブフレームそれぞれにおける複数のセルそれぞれに対するＡＣＫ／ＮＡＣＫを、最初のサブフレームにおける複数のセルそれぞれに対するＡＣＫ／ＮＡＣＫから順番に連結する処理と、あるサブフレームにおける複数のセルそれぞれに対するＡＣＫ／ＮＡＣＫを全て連結した後に、次のサブフレームにおける複数のセルそれぞれに対するＡＣＫ／ＮＡＣＫを順番に連結する処理と、を実行することを特徴としている。
【０１８９】
（ｂ）また、本発明の移動局装置は、基地局装置によって設定された複数のセルを用いて基地局装置と通信する移動局装置であって、複数のサブフレームそれぞれにおける複数のセルそれぞれに対するＡＣＫ／ＮＡＣＫをインターリーブする処理を実行することを特徴としている。
【０１９０】
（ｃ）また、本発明は、上記の移動局装置において、前記ＡＣＫ／ＮＡＣＫとチャネル状態情報をともにインターリーブする処理を実行することを特徴としている。
【０１９１】
（ｄ）また、本発明は、上記移動局装置において、前記ＡＣＫ／ＮＡＣＫとスケジューリングリクエストをともにインターリーブする処理を実行することを特徴としている。
【０１９２】
（ｅ）また、本発明の移動局装置は、基地局装置によって設定された複数のセルを用いて基地局装置と通信する移動局装置であって、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に空間的にバンドリングする処理を実行することを特徴としている。
【０１９３】
（ｆ）また、本発明は、上記の移動局装置において、前記複数のセルのうちセカンダリーセルから順番に、前記セカンダリーセルに対するＡＣＫ／ＮＡＣＫを空間的にバンドリングする処理を実行することを特徴としている。
【０１９４】
（ｇ）また、本発明は、上記の移動局装置において、前記セカンダリーセルが複数設定されている場合には、前記基地局装置によって通知されたセカンダリーセルに対する優先度に従って、ＡＣＫ／ＮＡＣＫを空間的にバンドリングする処理を実行することを特徴としている。
【０１９５】
（ｈ）また、本発明の移動局装置は、基地局装置によって設定された複数のセルを用いて基地局装置と通信する移動局装置であって、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に時間領域バンドリングする処理を実行することを特徴としている。
【０１９６】
（ｉ）また、本発明は、上記移動局装置において、前記複数のセルのうちセカンダリーセルから順番に、前記セカンダリーセルに対するＡＣＫ／ＮＡＣＫを時間領域バンドリングする処理を実行することを特徴としている。
【０１９７】
（ｊ）また、本発明は、上記移動局装置において、前記セカンダリーセルが複数設定されている場合には、前記基地局装置によって通知されたセカンダリーセルに対する優先度に従って、ＡＣＫ／ＮＡＣＫを時間領域バンドリングする処理を実行することを特徴としている。
【０１９８】
（ｋ）また、本発明の移動局装置は、基地局装置によって設定された複数のセルを用いて基地局装置と通信する移動局装置であって、複数のサブフレームそれぞれにおける複数のセルそれぞれに対するＡＣＫ／ＮＡＣＫ全てに空間的にバンドリングする処理と、前記空間的にバンドリングされたＡＣＫ／ＮＡＣＫのペイロードサイズが前記所定のサイズよりも大きい場合には、セルに対するＡＣＫ／ＮＡＣＫを時間領域バンドリングする処理と、を実行することを特徴としている。
【０１９９】
（ｌ）また、本発明の基地局装置は、基地局装置によって設定された複数のセルを用いて移動局装置と通信する基地局装置であって、前記移動局装置が、複数のサブフレームそれぞれにおける複数のセルそれぞれに対するＡＣＫ／ＮＡＣＫを、最初のサブフレームにおける複数のセルそれぞれに対するＡＣＫ／ＮＡＣＫから順番に連結する処理と、あるサブフレームにおける複数のセルそれぞれに対するＡＣＫ／ＮＡＣＫを全て連結した後に、次のサブフレームにおける複数のセルそれぞれに対するＡＣＫ／ＮＡＣＫを順番に連結する処理と、を実行する一方、前記連結されたＡＣＫ／ＮＡＣＫから、前記複数のサブフレームそれぞれにおける複数のセルそれぞれに対するＡＣＫ／ＮＡＣＫを分離する処理を実行することを特徴としている。
【０２００】
（ｍ）また、本発明の基地局装置は、基地局装置によって設定された複数のセルを用いて移動局装置と通信する基地局装置であって、前記移動局装置が、複数のサブフレームそれぞれにおける複数のセルそれぞれに対するＡＣＫ／ＮＡＣＫをインターリーブする処理を実行する一方、前記インターリーブされたＡＣＫ／ＮＡＣＫから前記複数のサブフレームそれぞれにおける複数のセルそれぞれに対するＡＣＫ／ＮＡＣＫを分離する処理を実行することを特徴としている。
【０２０１】
（ｎ）また、本発明の基地局装置は、基地局装置によって設定された複数のセルを用いて移動局装置と通信する基地局装置であって、前記移動局装置が、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に空間的にバンドリングする処理を実行する一方、前記空間的にバンドリングする処理を実行されたＡＣＫ／ＮＡＣＫから前記複数のサブフレームそれぞれにおける複数のセルそれぞれに対するＡＣＫ／ＮＡＣＫを分離する処理を実行することを特徴としている。
【０２０２】
（ｏ）また、本発明の基地局装置は、基地局装置によって設定された複数のセルを用いて移動局装置と通信する基地局装置であって、前記移動局装置が、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に時間領域バンドリングする処理を実行する一方、前記時間領域バンドリングする処理を実行されたＡＣＫ／ＮＡＣＫから前記複数のサブフレームそれぞれにおける複数のセルそれぞれに対するＡＣＫ／ＮＡＣＫを分離する処理を実行することを特徴としている。
【０２０３】
（ｐ）また、本発明の基地局装置は、基地局装置によって設定された複数のセルを用いて移動局装置と通信する基地局装置であって、前記移動局装置が、複数のサブフレームそれぞれにおける複数のセルそれぞれに対するＡＣＫ／ＮＡＣＫ全てに空間的にバンドリングする処理と、前記空間的にバンドリングされたＡＣＫ／ＮＡＣＫのペイロードサイズが前記所定のサイズよりも大きい場合には、セルに対するＡＣＫ／ＮＡＣＫを時間領域バンドリングする処理と、を実行する一方、前記時間領域バンドリングおよび空間的なバンドリング処理を実行されたＡＣＫ／ＮＡＣＫから前記複数のサブフレームそれぞれにおける複数のセルそれぞれに対するＡＣＫ／ＮＡＣＫを分離する処理を実行することを特徴としている。
【０２０４】
（ｑ）また、本発明の無線通信システムは、基地局装置によって設定された複数のセルを用いて移動局装置と基地局装置とが通信する無線通信システムであって、前記移動局装置は、複数のサブフレームそれぞれにおける複数のセルそれぞれに対するＡＣＫ／ＮＡＣＫを、最初のサブフレームにおける複数のセルそれぞれに対するＡＣＫ／ＮＡＣＫから順番に連結する処理と、あるサブフレームにおける複数のセルそれぞれに対するＡＣＫ／ＮＡＣＫを全て連結した後に、次のサブフレームにおける複数のセルそれぞれに対するＡＣＫ／ＮＡＣＫを順番に連結する処理と、を実行し、前記基地局装置は、前記連結されたＡＣＫ／ＮＡＣＫから、前記複数のサブフレームそれぞれにおける複数のセルそれぞれに対するＡＣＫ／ＮＡＣＫを分離する処理を実行することを特徴としている。
【０２０５】
（ｒ）また、本発明の無線通信システムは、基地局装置によって設定された複数のセルを用いて移動局装置と基地局装置とが通信する無線通信システムであって、前記移動局装置は、複数のサブフレームそれぞれにおける複数のセルそれぞれに対するＡＣＫ／ＮＡＣＫをインターリーブする処理を実行し、前記基地局装置は、前記インターリーブされたＡＣＫ／ＮＡＣＫから前記複数のサブフレームそれぞれにおける複数のセルそれぞれに対するＡＣＫ／ＮＡＣＫを分離する処理を実行することを特徴としている。
【０２０６】
（ｓ）また、本発明の無線通信システムは、基地局装置によって設定された複数のセルを用いて移動局装置と基地局装置とが通信する無線通信システムであって、前記移動局装置は、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に空間的にバンドリングする処理を実行し、前記基地局装置は、前記空間的にバンドリングする処理を実行されたＡＣＫ／ＮＡＣＫから前記複数のサブフレームそれぞれにおける複数のセルそれぞれに対するＡＣＫ／ＮＡＣＫを分離する処理を実行することを特徴としている。
【０２０７】
（ｔ）また、本発明の無線通信システムは、基地局装置によって設定された複数のセルを用いて移動局装置と基地局装置とが通信する無線通信システムであって、前記移動局装置は、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に時間領域バンドリングする処理を実行し、前記基地局装置は、前記時間領域バンドリングする処理を実行されたＡＣＫ／ＮＡＣＫから前記複数のサブフレームそれぞれにおける複数のセルそれぞれに対するＡＣＫ／ＮＡＣＫを分離する処理を実行することを特徴としている。
【０２０８】
（ｕ）また、本発明の無線通信システムは、基地局装置によって設定された複数のセルを用いて移動局装置と基地局装置とが通信する無線通信システムであって、前記移動局装置は、複数のサブフレームそれぞれにおける複数のセルそれぞれに対するＡＣＫ／ＮＡＣＫ全てに空間的にバンドリングする処理と、前記空間的にバンドリングされたＡＣＫ／ＮＡＣＫのペイロードサイズが前記所定のサイズよりも大きい場合には、セルに対するＡＣＫ／ＮＡＣＫを時間領域バンドリングする処理と、を実行し、前記基地局装置は、前記時間領域バンドリングおよび空間的なバンドリング処理を実行されたＡＣＫ／ＮＡＣＫから前記複数のサブフレームそれぞれにおける複数のセルそれぞれに対するＡＣＫ／ＮＡＣＫを分離する処理を実行することを特徴としている。
【０２０９】
（ｖ）また、本発明の無線通信方法は、基地局装置によって設定された複数のセルを用いて基地局装置と通信する移動局装置に用いられる無線通信方法であって、複数のサブフレームそれぞれにおける複数のセルそれぞれに対するＡＣＫ／ＮＡＣＫを、最初のサブフレームにおける複数のセルそれぞれに対するＡＣＫ／ＮＡＣＫから順番に連結する処理と、あるサブフレームにおける複数のセルそれぞれに対するＡＣＫ／ＮＡＣＫを全て連結した後に、次のサブフレームにおける複数のセルそれぞれに対するＡＣＫ／ＮＡＣＫを順番に連結する処理と、を実行することを特徴としている。
【０２１０】
（ｗ）また、本発明の無線通信方法は、基地局装置によって設定された複数のセルを用いて基地局装置と通信する移動局装置に用いられる無線通信方法であって、複数のサブフレームそれぞれにおける複数のセルそれぞれに対するＡＣＫ／ＮＡＣＫをインターリーブする処理を実行することを特徴としている。
【０２１１】
（ｘ）また、本発明の無線通信方法は、基地局装置によって設定された複数のセルを用いて基地局装置と通信する移動局装置に用いられる無線通信方法であって、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に空間的にバンドリングする処理を実行することを特徴としている。
【０２１２】
（ｙ）また、本発明の無線通信方法は、基地局装置によって設定された複数のセルを用いて基地局装置と通信する移動局装置に用いられる無線通信方法であって、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に時間領域バンドリングする処理を実行することを特徴としている。
【０２１３】
（ｚ）また、本発明の無線通信方法は、基地局装置によって設定された複数のセルを用いて基地局装置と通信する移動局装置に用いられる無線通信方法であって、複数のサブフレームそれぞれにおける複数のセルそれぞれに対するＡＣＫ／ＮＡＣＫ全てに空間的にバンドリングする処理と、前記空間的にバンドリングされたＡＣＫ／ＮＡＣＫのペイロードサイズが前記所定のサイズよりも大きい場合には、セルに対するＡＣＫ／ＮＡＣＫを時間領域バンドリングする処理と、を実行することを特徴としている。
【０２１４】
（Ａ）また、本発明の無線通信方法は、基地局装置によって設定された複数のセルを用いて移動局装置と通信する基地局装置に用いられる無線通信方法であって、前記移動局装置が、複数のサブフレームそれぞれにおける複数のセルそれぞれに対するＡＣＫ／ＮＡＣＫを、最初のサブフレームにおける複数のセルそれぞれに対するＡＣＫ／ＮＡＣＫから順番に連結する処理と、あるサブフレームにおける複数のセルそれぞれに対するＡＣＫ／ＮＡＣＫを全て連結した後に、次のサブフレームにおける複数のセルそれぞれに対するＡＣＫ／ＮＡＣＫを順番に連結する処理と、を実行する一方、前記連結されたＡＣＫ／ＮＡＣＫから、前記複数のサブフレームそれぞれにおける複数のセルそれぞれに対するＡＣＫ／ＮＡＣＫを分離する処理を実行することを特徴としている。
【０２１５】
（Ｂ）また、本発明の無線通信方法は、基地局装置によって設定された複数のセルを用いて移動局装置と通信する基地局装置に用いられる無線通信方法であって、前記移動局装置が、複数のサブフレームそれぞれにおける複数のセルそれぞれに対するＡＣＫ／ＮＡＣＫをインターリーブする処理を実行する一方、前記インターリーブされたＡＣＫ／ＮＡＣＫから前記複数のサブフレームそれぞれにおける複数のセルそれぞれに対するＡＣＫ／ＮＡＣＫを分離する処理を実行することを特徴としている。
【０２１６】
（Ｃ）また、本発明の無線通信方法は、基地局装置によって設定された複数のセルを用いて移動局装置と通信する基地局装置に用いられる無線通信方法であって、前記移動局装置が、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に空間的にバンドリングする処理を実行する一方、前記空間的にバンドリングする処理を実行されたＡＣＫ／ＮＡＣＫから前記複数のサブフレームそれぞれにおける複数のセルそれぞれに対するＡＣＫ／ＮＡＣＫを分離する処理を実行することを特徴としている。
【０２１７】
（Ｄ）また、本発明の無線通信方法は、基地局装置によって設定された複数のセルを用いて移動局装置と通信する基地局装置に用いられる無線通信方法であって、前記移動局装置が、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に時間領域バンドリングする処理を実行する一方、前記時間領域バンドリングする処理を実行されたＡＣＫ／ＮＡＣＫから前記複数のサブフレームそれぞれにおける複数のセルそれぞれに対するＡＣＫ／ＮＡＣＫを分離する処理を実行することを特徴としている。
【０２１８】
（Ｅ）また、本発明の無線通信方法は、基地局装置によって設定された複数のセルを用いて移動局装置と通信する基地局装置に用いられる無線通信方法であって、前記移動局装置が、複数のサブフレームそれぞれにおける複数のセルそれぞれに対するＡＣＫ／ＮＡＣＫ全てに空間的にバンドリングする処理と、前記空間的にバンドリングされたＡＣＫ／ＮＡＣＫのペイロードサイズが前記所定のサイズよりも大きい場合には、セルに対するＡＣＫ／ＮＡＣＫを時間領域バンドリングする処理と、を実行する一方、前記時間領域バンドリングおよび空間的なバンドリング処理を実行されたＡＣＫ／ＮＡＣＫから前記複数のサブフレームそれぞれにおける複数のセルそれぞれに対するＡＣＫ／ＮＡＣＫを分離する処理を実行することを特徴としている。
【０２１９】
（Ｆ）また、本発明の集積回路は、基地局装置によって設定された複数のセルを用いて基地局装置と通信する移動局装置に用いられる集積回路であって、複数のサブフレームそれぞれにおける複数のセルそれぞれに対するＡＣＫ／ＮＡＣＫを、最初のサブフレームにおける複数のセルそれぞれに対するＡＣＫ／ＮＡＣＫから順番に連結する処理と、あるサブフレームにおける複数のセルそれぞれに対するＡＣＫ／ＮＡＣＫを全て連結した後に、次のサブフレームにおける複数のセルそれぞれに対するＡＣＫ／ＮＡＣＫを順番に連結する処理と、を含む一連の処理が実行可能にチップ化されたことを特徴としている。
【０２２０】
（Ｇ）また、本発明の集積回路は、基地局装置によって設定された複数のセルを用いて基地局装置と通信する移動局装置に用いられる集積回路であって、複数のサブフレームそれぞれにおける複数のセルそれぞれに対するＡＣＫ／ＮＡＣＫをインターリーブする処理が実行可能にチップ化されたことを特徴としている。
【０２２１】
（Ｈ）また、本発明の集積回路は、基地局装置によって設定された複数のセルを用いて基地局装置と通信する移動局装置に用いられる集積回路であって、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に空間的にバンドリングする処理が実行可能にチップ化されたことを特徴としている。
【０２２２】
（Ｉ）また、本発明の集積回路は、基地局装置によって設定された複数のセルを用いて基地局装置と通信する移動局装置に用いられる集積回路であって、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に時間領域バンドリングする処理が実行可能にチップ化されたことを特徴としている。
【０２２３】
（Ｊ）また、本発明の集積回路は、基地局装置によって設定された複数のセルを用いて基地局装置と通信する移動局装置に用いられる集積回路であって、複数のサブフレームそれぞれにおける複数のセルそれぞれに対するＡＣＫ／ＮＡＣＫ全てに空間的にバンドリングする処理と、前記空間的にバンドリングされたＡＣＫ／ＮＡＣＫのペイロードサイズが前記所定のサイズよりも大きい場合には、セルに対するＡＣＫ／ＮＡＣＫを時間領域バンドリングする処理と、を含む一連の処理が実行可能にチップ化されたことを特徴としている。
【０２２４】
（Ｋ）また、本発明の集積回路は、基地局装置によって設定された複数のセルを用いて移動局装置と通信する基地局装置に用いられる集積回路であって、前記移動局装置が、複数のサブフレームそれぞれにおける複数のセルそれぞれに対するＡＣＫ／ＮＡＣＫを、最初のサブフレームにおける複数のセルそれぞれに対するＡＣＫ／ＮＡＣＫから順番に連結する処理と、あるサブフレームにおける複数のセルそれぞれに対するＡＣＫ／ＮＡＣＫを全て連結した後に、次のサブフレームにおける複数のセルそれぞれに対するＡＣＫ／ＮＡＣＫを順番に連結する処理と、を実行する一方、前記連結されたＡＣＫ／ＮＡＣＫから、前記複数のサブフレームそれぞれにおける複数のセルそれぞれに対するＡＣＫ／ＮＡＣＫを分離する処理が実行可能にチップ化されたことを特徴としている。
【０２２５】
（Ｌ）また、本発明の集積回路は、基地局装置によって設定された複数のセルを用いて移動局装置と通信する基地局装置に用いられる集積回路であって、前記移動局装置が、複数のサブフレームそれぞれにおける複数のセルそれぞれに対するＡＣＫ／ＮＡＣＫをインターリーブする処理を実行する一方、前記インターリーブされたＡＣＫ／ＮＡＣＫから前記複数のサブフレームそれぞれにおける複数のセルそれぞれに対するＡＣＫ／ＮＡＣＫを分離する処理が実行可能にチップ化されたことを特徴としている。
【０２２６】
（Ｍ）また、本発明の集積回路は、基地局装置によって設定された複数のセルを用いて移動局装置と通信する基地局装置に用いられる集積回路であって、前記移動局装置が、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に空間的にバンドリングする処理を実行する一方、前記空間的にバンドリングする処理を実行されたＡＣＫ／ＮＡＣＫから前記複数のサブフレームそれぞれにおける複数のセルそれぞれに対するＡＣＫ／ＮＡＣＫを分離する処理が実行可能にチップ化されたことを特徴としている。
【０２２７】
（Ｎ）また、本発明の集積回路は、基地局装置によって設定された複数のセルを用いて移動局装置と通信する基地局装置に用いられる集積回路であって、前記移動局装置が、複数のサブフレームそれぞれにおける複数のセルそれぞれに対するＡＣＫ／ＮＡＣＫのペイロードサイズが所定のサイズよりも大きい場合には、前記ＡＣＫ／ＮＡＣＫのペイロードサイズが前記所定のサイズ以下になるまで、セルに対するＡＣＫ／ＮＡＣＫを順番に時間領域バンドリングする処理を実行する一方、前記時間領域バンドリングする処理を実行されたＡＣＫ／ＮＡＣＫから前記複数のサブフレームそれぞれにおける複数のセルそれぞれに対するＡＣＫ／ＮＡＣＫを分離する処理が実行可能にチップ化されたことを特徴としている。
【０２２８】
（Ｏ）また、本発明の集積回路は、基地局装置によって設定された複数のセルを用いて移動局装置と通信する基地局装置に用いられる集積回路であって、前記移動局装置が、複数のサブフレームそれぞれにおける複数のセルそれぞれに対するＡＣＫ／ＮＡＣＫ全てに空間的にバンドリングする処理と、前記空間的にバンドリングされたＡＣＫ／ＮＡＣＫのペイロードサイズが前記所定のサイズよりも大きい場合には、セルに対するＡＣＫ／ＮＡＣＫを時間領域バンドリングする処理と、を実行する一方、前記時間領域バンドリングおよび空間的なバンドリング処理を実行されたＡＣＫ／ＮＡＣＫから前記複数のサブフレームそれぞれにおける複数のセルそれぞれに対するＡＣＫ／ＮＡＣＫを分離する処理が実行可能にチップ化されたことを特徴としている。
【０２２９】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２３０】
尚、ここでいう「コンピュータシステム」とは、移動局装置１、または基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２３１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２３２】
また、上述した実施形態における移動局装置１、基地局装置３の一部、または全部を典型的には集積回路であるＬＳＩとして実現してもよいし、チップセットとして実現してもよい。移動局装置１、基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０２３３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０２３４】
１（１Ａ、１Ｂ、１Ｃ）  移動局装置
３  基地局装置
１０１  上位層処理部
１０３  制御部
１０５  受信部
１０７  送信部
１０１１  無線リソース制御部
１０１３  スケジューリング部
１０５１  復号化部
１０５３  復調部
１０５５  多重分離部
１０５７  無線受信部
１０５９  チャネル測定部
１０７１  符号化部
１０７３  ＰＵＳＣＨ生成部
１０７５  ＰＵＣＣＨ生成部
１０７７  多重部
１０７９  無線送信部
１０７１１  上りリンク参照信号生成部
１０７１ａ  データ符号化部
１０７１ｂ  チャネル品質情報符号化部
１０７１ｃ  ＨＡＲＱ−ＡＣＫ連結部
１０７１ｄ  ＨＡＲＱ−ＡＣＫ分割部
１０７１ｅ  ＲＭ符号化部
１０７１ｆ  ＲＭ符号化部
１０７１ｇ  符号化ビット連結部
１０７１ｈ  インターリーブ部
３０１  上位層処理部
３０３  制御部
３０５  受信部
３０７  送信部
３０１１  無線リソース制御部
３０１３  スケジューリング部
３０５１  データ復調／復号部
３０５３  ＡＣＫ／ＮＡＣＫ分離部
３０５５  制御情報復調／復号部
３０５７  多重分離部
３０５９  無線受信部
３０５１１  チャネル測定部
３０７１  符号化部
３０７３  変調部
３０７５  多重部
３０７７  無線送信部
３０７９  下りリンク参照信号生成部
【図１】
2012063754.tif 000007
【図２】
2012063754.tif 000008
【図３】
2012063754.tif 000009
【図４】
2012063754.tif 000010
【図５】
2012063754.tif 000011
【図６】
2012063754.tif 000012
【図７】
2012063754.tif 000013
【図８】
2012063754.tif 000014
【図９】
2012063754.tif 000015
【図１０】
2012063754.tif 000016
【図１１】
2012063754.tif 000017
【図１２】
2012063754.tif 000018
【図１３】
2012063754.tif 000019
【図１４】
2012063754.tif 000020
【図１５】
2012063754.tif 000021
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
基地局装置によって設定された複数のセルを用いて前記基地局装置と通信する移動局装置であって、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、
前記複数のＡＣＫ／ＮＡＣＫ系列を別々に符号化する、ことを特徴とする移動局装置。
【請求項２】
前記複数のＡＣＫ／ＮＡＣＫとスケジューリングリクエストをともにインターリーブすることを特徴とする請求項１に記載の移動局装置。
【請求項３】
複数のセルにおいて１つまたは複数のサブフレームで受信したトランスポートブロックのそれぞれに対応したＡＣＫまたはＮＡＣＫを、単一の物理チャネルで基地局装置へ送信する移動局装置において、
前記複数のセルのうちの少なくとも１つのセルに対して、前記基地局装置によって１つのサブフレームで空間多重を用いて２つのトランスポートブロックを送信可能な送信モードが設定され、
前記ＡＣＫまたはＮＡＣＫのビット数に応じて、前記送信モードのセルに対するＡＣＫまたはＮＡＣＫに空間的なバンドリングを実行するかしないかを決定し、
あるサブフレームにおいて前記送信モードのセルで１つのトランスポートブロックを受信した際に、
前記ＡＣＫまたはＮＡＣＫに空間的なバンドリングを実行しないと決定している場合には、前記受信した１つのトランスポートブロックに対応してＡＣＫまたはＮＡＣＫを生成するとともに、受信しなかったトランスポートブロックに対応してＮＡＣＫを生成し、
前記ＡＣＫまたはＮＡＣＫに空間的なバンドリングを実行すると決定している場合には、前記受信した１つのトランスポートブロックに対応してＡＣＫまたはＮＡＣＫを生成するとともに、受信しなかったトランスポートブロックに対応してＮＡＣＫを生成しないことを特徴とする移動局装置。
【請求項４】
移動局装置に設定した複数のセルを用いて前記移動局装置と通信する基地局装置であって、
前記移動局装置が、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、物理上りリンクチャネルで送信された前記符号化した複数のＡＣＫ／ＮＡＣＫ系列から生成した信号を、受信することを特徴とする基地局装置。
【請求項５】
前記複数のＡＣＫ／ＮＡＣＫ系列は、前記複数のＡＣＫ／ＮＡＣＫとスケジューリングリクエストをともにインターリーブして分離することで生成されたものであることを特徴とする請求項４に記載の基地局装置。
【請求項６】
複数のセルにおいて１つまたは複数のサブフレームで送信したトランスポートブロックのそれぞれに対応したＡＣＫまたはＮＡＣＫを、単一の物理チャネルで移動局装置から受信する基地局装置において、
前記複数のセルのうちの少なくとも１つのセルに対して、１つのサブフレームで空間多重を用いて２つのトランスポートブロックを送信可能な送信モードを設定し、
あるサブフレームにおいて前記送信モードのセルで前記移動局装置に１つのトランスポートブロックを送信した際に、
前記ＡＣＫまたはＮＡＣＫのビット数に応じて、前記移動局装置によって前記ＡＣＫまたはＮＡＣＫに空間的なバンドリングを実行しないと決定されていた場合には、前記送信した１つのトランスポートブロックに対応して前記移動局装置によって生成されたＡＣＫまたはＮＡＣＫと、前記移動局装置が受信しなかったトランスポートブロックに対応して移動局装置によって生成されたＮＡＣＫと、から生成した信号を前記移動局装置から受信し、
前記ＡＣＫまたはＮＡＣＫのビット数に応じて、前記移動局装置によって前記ＡＣＫまたはＮＡＣＫに空間的なバンドリングを実行すると決定されていた場合には、前記送信した１つのトランスポートブロックに対応して前記移動局装置によって生成されたＡＣＫ／またはＮＡＣＫと、受信しなかったトランスポートブロックに対応するＮＡＣＫ以外の信号と、にバンドリングを実行した結果から生成した信号を、前記移動局装置から受信することを特徴とする基地局装置。
【請求項７】
基地局装置によって設定された複数のセルを用いて、移動局装置と前記基地局装置とが通信を行う無線通信システムであって、
前記移動局装置は、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、
前記複数のＡＣＫ／ＮＡＣＫ系列を別々に符号化し、
前記基地局装置は、
前記符号化されたＡＣＫ／ＮＡＣＫ系列から生成された信号を、物理上りリンクチャネルを用いて前記移動局装置から受信することを特徴とする無線通信システム。
【請求項８】
前記移動局装置は、前記複数のＡＣＫ／ＮＡＣＫとスケジューリングリクエストをともにインターリーブすることを特徴とする請求項７に記載の無線通信システム。
【請求項９】
複数のセルにおいて１つまたは複数のサブフレームで受信したトランスポートブロックのそれぞれに対応したＡＣＫまたはＮＡＣＫの通信を、単一の物理チャネルを用いて移動局装置と基地局装置の間で行う無線通信システムにおいて、
前記基地局装置は、前記複数のセルのうちの少なくとも１つのセルに対して、１つのサブフレームで空間多重を用いて２つのトランスポートブロックを送信可能な送信モードを設定し、
前記移動局装置は、
前記ＡＣＫまたはＮＡＣＫのビット数に応じて、前記送信モードのセルに対するＡＣＫまたはＮＡＣＫに空間的なバンドリングを実行するかしないかを決定し、
あるサブフレームにおいて前記送信モードのセルで１つのトランスポートブロックを受信した際に、
前記ＡＣＫまたはＮＡＣＫに空間的なバンドリングを実行しないと決定した場合には、前記受信した１つのトランスポートブロックに対応してＡＣＫまたはＮＡＣＫを生成するとともに、受信しなかったトランスポートブロックに対応してＮＡＣＫを生成し、
前記ＡＣＫまたはＮＡＣＫに空間的なバンドリングを実行すると決定した場合には、前記受信した１つのトランスポートブロックに対応してＡＣＫまたはＮＡＣＫを生成するとともに、受信しなかったトランスポートブロックに対応してＮＡＣＫを生成しないこと、を特徴とする無線通信システム。
【請求項１０】
基地局装置によって設定された複数のセルを用いて前記基地局装置と通信する移動局装置に用いられる無線通信方法であって、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、
前記複数のＡＣＫ／ＮＡＣＫ系列を別々に符号化することを特徴とする無線通信方法。
【請求項１１】
前記複数のＡＣＫ／ＮＡＣＫとスケジューリングリクエストをともにインターリーブする処理を実行することを特徴とする請求項１０に記載の無線通信方法。
【請求項１２】
複数のセルにおいて１つまたは複数のサブフレームで受信したトランスポートブロックのそれぞれに対応したＡＣＫまたはＮＡＣＫを、単一の物理チャネルを用いて、基地局装置と通信する移動局装置に用いられる無線通信方法であって、
前記複数のセルのうちの少なくとも１つのセルに対して、前記基地局装置によって１つのサブフレームで空間多重を用いて２つのトランスポートブロックを送信可能な送信モードが設定され、
前記ＡＣＫまたはＮＡＣＫのビット数に応じて、前記送信モードのセルに対するＡＣＫまたはＮＡＣＫに空間的なバンドリングを実行するかしないかを決定し、
あるサブフレームにおいて前記送信モードのセルで１つのトランスポートブロックを受信した際に、
前記ＡＣＫまたはＮＡＣＫに空間的なバンドリングを実行しないと決定した場合には、前記受信した１つのトランスポートブロックに対応してＡＣＫまたはＮＡＣＫを生成するとともに、受信しなかったトランスポートブロックに対応してＮＡＣＫを生成し、
前記ＡＣＫまたはＮＡＣＫに空間的なバンドリングを実行すると決定した場合には、前記受信した１つのトランスポートブロックに対応してＡＣＫまたはＮＡＣＫを生成するとともに、受信しなかったトランスポートブロックに対応してＮＡＣＫを生成しないことを特徴とする無線通信方法。
【請求項１３】
設定した複数のセルを用いて、移動局装置と通信する基地局装置に用いられる無線通信方法であって、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、物理上りリンクチャネルで送信された前記符号化した複数のＡＣＫ／ＮＡＣＫ系列から生成した信号を、受信することを特徴とする無線通信方法。
【請求項１４】
前記複数のＡＣＫ／ＮＡＣＫ系列は、前記複数のＡＣＫ／ＮＡＣＫとスケジューリングリクエストをともにインターリーブして生成されたものであることを特徴とする請求項１３に記載の無線通信方法。
【請求項１５】
複数のセルにおいて１つまたは複数のサブフレームで送信したトランスポートブロックのそれぞれに対応したＡＣＫまたはＮＡＣＫの通信を、単一の物理チャネルを用いて、移動局装置と行う基地局装置に用いられる無線通信方法であって、
前記複数のセルのうちの少なくとも１つのセルに対して、１つのサブフレームで空間多重を用いて２つのトランスポートブロックを送信可能な送信モードを設定し、
あるサブフレームにおいて前記送信モードのセルで前記移動局装置が１つのトランスポートブロックを受信した際に、
前記ＡＣＫまたはＮＡＣＫのビット数に応じて、前記移動局装置によって前記ＡＣＫまたはＮＡＣＫに空間的なバンドリングを実行しないと決定されていた場合には、前記移動局装置が受信した１つのトランスポートブロックに対応して移動局装置によって生成されたＡＣＫまたはＮＡＣＫと、前記移動局装置が受信しなかったトランスポートブロックに対応して移動局装置によって生成されたＮＡＣＫと、から生成した信号を前記移動局装置から受信し、
前記ＡＣＫまたはＮＡＣＫのビット数に応じて、前記移動局装置によって前記ＡＣＫまたはＮＡＣＫに空間的なバンドリングを実行すると決定されていた場合には、前記送信した１つのトランスポートブロックに対応して前記移動局装置によって生成されたＡＣＫ／ＮＡＣＫと、受信しなかったトランスポートブロックに対応するＮＡＣＫ以外の信号と、にバンドリングを実行した結果から生成した信号を、前記移動局装置から受信することを特徴とする無線通信方法。
【請求項１６】
基地局装置によって設定された複数のセルを用いて前記基地局装置と通信する移動局装置に用いられる集積回路であって、
複数のサブフレームそれぞれにおける複数のセルそれぞれに対する複数のＡＣＫ／ＮＡＣＫをインターリーブして分割することで複数のＡＣＫ／ＮＡＣＫ系列を生成し、
前記複数のＡＣＫ／ＮＡＣＫ系列を別々に符号化する機能と、を含むことを特徴とする集積回路。
【請求項１７】
前記複数のＡＣＫ／ＮＡＣＫとスケジューリングリクエストをともにインターリーブして分離する機能、を含むことを特徴とする請求項１６に記載の集積回路。
【請求項１８】
複数のセルにおいて１つまたは複数のサブフレームで受信したトランスポートブロックのそれぞれに対応したＡＣＫまたはＮＡＣＫを、単一の物理チャネルで基地局装置へ送信する移動局装置に用いられる集積回路であって、
前記複数のセルのうちの少なくとも１つのセルに対して、前記基地局装置によって１つのサブフレームで空間多重を用いて２つのトランスポートブロックを送信可能な送信モードが設定され、
前記ＡＣＫまたはＮＡＣＫのビット数に応じて、前記送信モードのセルに対するＡＣＫまたはＮＡＣＫに空間的なバンドリングを実行するかしないかを決定する機能と、
前記ＡＣＫまたはＮＡＣＫに空間的なバンドリングを実行しないと決定した場合には、前記受信した１つのトランスポートブロックに対応してＡＣＫまたはＮＡＣＫを生成するとともに、受信しなかったトランスポートブロックに対応してＮＡＣＫを生成する機能と、
前記ＡＣＫまたはＮＡＣＫに空間的なバンドリングを実行すると決定した場合には、前記受信した１つのトランスポートブロックに対応してＡＣＫまたはＮＡＣＫを生成するとともに、受信しなかったトランスポートブロックに対応してＮＡＣＫ以外を生成する機能と、を含むことを特徴とする集積回路。
【請求項１９】
移動局装置に設定した複数のセルを用いて前記移動局装置と通信する基地局装置に用いられる集積回路であって、
前記移動局装置が、複数のサブフレームそれぞれにおける複数のセルそれぞれに対する複数のＡＣＫ／ＮＡＣＫをインターリーブして分割することで複数のＡＣＫ／ＮＡＣＫ系列を生成し、前記複数のＡＣＫ／ＮＡＣＫ系列を別々に符号化し、物理上りリンクチャネルで送信した前記符号化した複数のＡＣＫ／ＮＡＣＫ系列から生成した信号を、受信する機能、を含むことを特徴とする集積回路。
【請求項２０】
前記複数のＡＣＫ／ＮＡＣＫ系列は、前記複数のＡＣＫ／ＮＡＣＫとスケジューリングリクエストをともにインターリーブして分離することで生成されたものであることを特徴とする請求項１９に記載の集積回路。
【請求項２１】
複数のセルにおいて１つまたは複数のサブフレームで送信したトランスポートブロックのそれぞれに対応したＡＣＫまたはＮＡＣＫを、単一の物理チャネルで移動局装置から受信する基地局装置に用いられる集積回路であって、
前記複数のセルのうちの少なくとも１つのセルに対して、１つのサブフレームで空間多重を用いて２つのトランスポートブロックを送信可能な送信モードを設定する機能と、
あるサブフレームにおいて前記送信モードのセルで前記移動局装置が１つのトランスポートブロックを受信した際に、
前記ＡＣＫまたはＮＡＣＫのビット数に応じて、前記移動局装置によって前記ＡＣＫまたはＮＡＣＫに空間的なバンドリングを実行しないと決定されていた場合には、前記移動局装置が受信した１つのトランスポートブロックに対応して移動局装置によって生成されたＡＣＫまたはＮＡＣＫと、前記移動局装置が受信しなかったトランスポートブロックに対応して移動局装置によって生成されたＮＡＣＫと、から生成した信号を前記移動局装置から受信する機能と、
前記ＡＣＫまたはＮＡＣＫのビット数に応じて、前記移動局装置によって前記ＡＣＫまたはＮＡＣＫに空間的なバンドリングを実行すると決定されていた場合には、前記送信した１つのトランスポートブロックに対応して前記移動局装置によって生成されたＡＣＫ／ＮＡＣＫと、受信しなかったトランスポートブロックに対応するＮＡＣＫ以外の信号と、にバンドリングを実行した結果から生成した信号を、受信する機能を、含むことを特徴とする集積回路。
【国際調査報告】
2012063754.tif 000022
2012063754.tif 000023
2012063754.tif 000024
2012063754.tif 000025